(57)【要約】【課題】ＮＯＰ／ＮＣＬ切換が可能で、撮影間隔を従来よりも短くすることの可能なフォーカルプレンシャッタ及びそれを備えたカメラの提供。【解決手段】ＮＯＰ／ＮＣＬ切換可能で、ＮＯＰ方式では、セット部材１５がセット位置のとき先羽根を露光開口から退かせ、初期位置への復帰作動時に先羽根に露光開口を覆わせ、ＮＣＬ方式では、セット部材がセット位置から初期位置に復帰し露光作動開始までの間、先羽根に露光開口を覆わせる先羽根用駆動手段８，９と、セット作動時に係止部材１７に係止され後羽根を露光開口を覆った状態にしセット位置に達する直前に係止部材による係止が解かれると後羽根を露光開口から退かせる後羽根用第１駆動部材１１と、セット作動によってセット方向に回転され露光作動時に後羽根用第１駆動部材を露光作動方向に回転させ後羽根に露光開口を覆わせる後羽根用第２駆動部材１２とを備える。【選択図】図１
2014044273.tif 000002
【特許請求の範囲】
【請求項１】
ノーマリーオープン方式での撮影とノーマリークローズ方式での撮影とを切換えるフォーカルプレンシャッタであって、
ノーマリーオープン方式での撮影では、セット部材がセット位置にあるときに先羽根を露光開口から退かせ、セット部材の初期位置への復帰作動時には先羽根に露光開口を覆わせ、ノーマリークローズ方式での撮影では、セット部材がセット位置にあるときからセット部材が初期位置に復帰し露光作動が開始するまでの間、先羽根に露光開口を覆わせることの可能な先羽根用駆動手段と、
セット部材のセット作動時には係止部材に係止されていて後羽根を露光開口を覆った状態のままにしておきセット部材がセット位置に達する直前になって該係止部材による係止が解かれると後羽根を露光開口から退かせる後羽根用第１駆動部材と、
セット部材のセット作動によってセット方向に回転され露光作動時には後羽根用第１駆動部材を露光作動方向に回転させ後羽根に露光開口を覆わせる後羽根用第２駆動部材と、
を備えていることを特徴とするカメラ用フォーカルプレンシャッタ。
【請求項２】
ノーマリークローズ方式での撮影における前記セット部材のセット作動時に、前記先羽根用駆動手段により前記先羽根が露光開口を完全に覆うタイミングが、前記係止部材による前記後羽根用第１駆動部材の係止を解除する前となるように構成されていることを特徴とする請求項１に記載のカメラ用フォーカルプレンシャッタ。
【請求項３】
前記セット部材が第１の押動部を有していて、前記係止部材が第１の被押動部を有しており、前記セット部材は、そのセット作動の終了直前において該第１の押動部が該第１の被押動部を押すことによって、前記係止部材による前記後羽根用第１駆動部材の係止を解くように構成されていることを特徴とする請求項１又は２に記載のカメラ用フォーカルプレンシャッタ。
【請求項４】
前記セット部材がさらに第２の押動部を有していて、前記先羽根用駆動手段が第２の被押動部を有しており、前記セット部材は、ノーマリークローズ方式での撮影において、セット作動時に該第２の押動部が該第２の被押動部を押すことによって前記先羽根用駆動手段により前記先羽根に露光開口を覆わせるように構成されていることを特徴とする請求項１〜３のいずれかに記載のカメラ用フォーカルプレンシャッタ。
【請求項５】
前記先羽根用駆動手段は、抑止手段との当接及び当接の解除により前記先羽根の露光開口を閉じる方向への回転の抑止及び該抑止の解除がなされる被抑止部とを有し、
前記先羽根の露光開口を閉じる方向への回転の抑止及び該抑止の解除によりノーマリーオープン方式での撮影とノーマリークローズ方式での撮影とが切換わることを特徴とする請求項１〜４のいずれかに記載のカメラ用フォーカルプレンシャッタ。
【請求項６】
前記先羽根用駆動手段は、先羽根用駆動ばねにより露光作動方向に付勢された先羽根用第２駆動部材と、前記先羽根と連結されておりセットばねにより露光作動方向とは反対側に付勢された先羽根用第１駆動部材と、を含むことを特徴とする請求項１〜５のいずれかに記載のカメラ用フォーカルプレンシャッタ。
【請求項７】
前記抑止手段は、前記先羽根用第１駆動部材による前記先羽根の露光開口を閉じる方向への回転を抑止する方向及び該抑止を解除する方向へ作動可能な抑止部材を有し、
前記抑止部材は、ノーマリーオープン方式での撮影時においては、前記セット部材によるセット作動終了後に前記先羽根用第１駆動部材による前記先羽根の露光開口を閉じる方向への回転の抑止を解除し、前記先羽根用第１駆動部材が前記先羽根の露光開口を閉じる方向へ回転後であって露光作動前に前記先羽根用第１駆動部材による前記先羽根の露光開口を閉じる方向への回転を抑止する方向へ作動して、露光作動終了直前に前記先羽根用第１駆動部材による前記先羽根の露光開口を開く方向の回転を制動するとともに、露光作動終了時に前記先羽根用第１駆動部材による前記先羽根の露光開口を閉じる方向への回転を抑止することを特徴とする請求項６に記載のカメラ用フォーカルプレンシャッタ。
【請求項８】
前記抑止手段が、電磁装置であって、前記抑止部材が、該電磁装置の往復作動可能な可動子であることを特徴とする請求項７に記載のカメラ用フォーカルプレンシャッタ。
【請求項９】
前記抑止手段が、前記抑止部材を前記先羽根用第１駆動部材による前記先羽根の露光開口を閉じる方向への回転を抑止する方向に作動可能なバネと、前記抑止部材を前記先羽根用第１駆動部材による前記先羽根の露光開口を閉じる方向への回転を抑止する方向に作動可能なバネの付勢力に抗した該抑止を解除する方向への作動及び該抑止を解除する方向への作動を解除しうる電磁装置を有することを特徴とする請求項７に記載のカメラ用フォーカルプレンシャッタ。
【請求項１０】
前記抑止部材は、露光作動終了時において前記先羽根用第１駆動部材がバウンドするのを抑止する機能も有していることを特徴とする請求項７〜９のいずれかに記載のカメラ用フォーカルプレンシャッタ。
【請求項１１】
前記係止部材は、露光作動終了時において前記後羽根用第１駆動部材がバウンドするのを抑止する機能も有していることを特徴とする請求項１〜１０のいずれかに記載のカメラ用フォーカルプレンシャッタ。
【請求項１２】
請求項１〜１１のいずれかに記載のカメラ用フォーカルプレンシャッタを備えていることを特徴とするデジタルカメラ。
【発明の詳細な説明】
【技術分野】
【０００１】
本発明は、カメラ用フォーカルプレンシャッタ、及びそれを備えたデジタルカメラに関する。
【背景技術】
【０００２】
デジタルカメラ用のフォーカルプレンシャッタの中には、先羽根と後羽根という二つのシャッタ羽根を備えたものがある。この種のフォーカルプレンシャッタは、かつては、フィルムを使用するカメラ用のフォーカルプレンシャッタと実質的に同じ構成をしており、先羽根用駆動機構が先羽根用駆動部材と先羽根用駆動ばねで構成され、後羽根用駆動機構が後羽根用駆動部材と後羽根用駆動ばねで構成されていて、先羽根と後羽根が、先羽根用駆動部材と後羽根用駆動部材に直接連結されており、撮影時には、それらの二つの駆動部材が先羽根用駆動ばねと後羽根用駆動ばねの付勢力によって順に回転させられ、先羽根が露光開口を開き、後羽根がその後から閉じていくことによって、ＣＣＤ等の撮像素子の受光面を露光するようにしていた。
【０００３】
そして、先羽根と後羽根による露光作動が終了すると、後羽根が露光開口を覆った状態で、撮像情報が撮像素子から情報処理回路を介して記憶装置に転送される。その後、直ちにセット作動が行われるが、そのセット作動は、初期位置から回転させられるセット部材が、それらの二つの駆動部材を、上記の各々の駆動ばねの付勢力に抗してセット位置まで逆転させることによって行われていた。この種のフォーカルプレンシャッタは、セット完了状態である撮影待機状態においては、後羽根は露光開口から退いている。
【０００４】
また、次の撮影時に露光作動が行われるまで、上記の二つの駆動部材を回転しないように保持しておく構成には、係止タイプと言われているものと、ダイレクトタイプと言われているものがある。それらのうち、係止タイプというのは、各駆動部材が、セット位置で各々の係止部材によって係止されているようにしたものである。そのため、セット部材は、セット作動が終了すると、直ちに初期位置へ復帰するように構成してもよいし、カメラのレリーズ時に、先羽根の開き作動に先立って初期位置へ復帰するように構成しても構わない。そして、先羽根と後羽根による上記の露光作動は、各々の係止部材が夫々の電磁石によって操作され、各駆動部材の係止を順に解くことによって行われる。
【０００５】
他方、ダイレクトタイプというのは、上記の二つの駆動部材が、各々鉄片部材を備えており、セット部材は、セット作動によって、それらの鉄片部材が、励磁されていない各々の電磁石に接触した状態になるまで、それらの駆動部材を回転させる構成をしている。そのため、セット部材は、その後も初期位置へは復帰せずにその状態を保っていて、次の撮影に際してカメラのレリーズボタンが押され、各々の電磁石が励磁されることによって、それらの鉄片部材が吸着保持されると、初期位置へ復帰するようにしたものである。そして、先羽根と後羽根の露光作動は、その後、各々の電磁石が消磁し、各鉄片部材の吸着保持力を順に解くことによって行われる。
【０００６】
この種のフォーカルプレンシャッタは、係止タイプとして構成されている場合であってもダイレクトタイプとして構成されている場合であっても、撮影待機状態では、露光開口が先羽根によって閉じられた、いわゆるノーマリークローズ（ＮＣＬ）の状態となり、この種のフォーカルプレンシャッタを採用したデジタルカメラは、光学ファインダを備えているのが普通であった。
【０００７】
ところで、最近では、フォーカルプレンシャッタを備えたデジタルカメラの場合にも、レンズシャッタを備えたデジタルカメラの場合と同様に、液晶表示装置などを用いた電子ファインダを備えることが要求されるようになってきて、かつてのように、光学ファインダだけを備えているものは少なくなり、光学ファインダと電子ファインダの両方を備えたカメラや、電子ファインダだけを備えたカメラが多くなっている。そして、電子ファインダを採用する場合には、電子ファインダ用の撮像素子を、撮影用の撮像素子とは別に備えるようにすることも知られているが、両方の機能を一つの撮像素子で兼用させるようにするのが一般的となっている。
【０００８】
ところが、そのような二つの機能を一つの撮像素子で兼用させる場合には、セット状態では、後羽根だけでなく、先羽根も露光開口から退いた状態にしておき、撮影に際してレリーズボタンが押されると、その初期段階において、先羽根を、露光開口を覆った状態に作動させ、次の段階で、先羽根と後羽根とを順に露光作動させるように構成する必要がある。即ち、セット作動時においては、後羽根の方は、露光開口を閉じた状態から開いた状態に作動させるが、先羽根の方は、露光開口を開いた状態から閉じた状態には作動させない、いわゆるノーマリーオープン（ＮＯＰ）状態にする必要がある。
【０００９】
そこで、そのような作動を可能にするために、上記の先羽根用駆動機構を、先羽根に直接連結させた先羽根用第１駆動部材と、先羽根用駆動ばねによって直接付勢される先羽根用第２駆動部材との二つで構成し、上記のセット作動時には、先羽根用第２駆動部材だけをセット位置へ作動させ、先羽根を露光開口の開き状態のままにして、電子ファインダでの被写体像の観察を可能にしておき、撮影に際してレリーズボタンが押されると、その初期段階において、セット部材をセット位置から初期位置へ復帰させ、その復帰過程において先羽根用第１駆動部材を先羽根用駆動ばねより弱いばね（以下、先羽根用セットばねという）の付勢力で回転させ、先羽根を露光開口の閉じ状態に作動させ、次の段階では、先羽根用第２駆動部材が先羽根用第１駆動部材を伴って先羽根に露光作動を行わせ、続いて後羽根用駆動部材が後羽根に露光作動を行わせるようにしたものが下記の特許文献１に記載されている。
【００１０】
しかし、特許文献１に記載のフォーカルプレンシャッタは、撮影に際してレリーズボタンが押されると、その初期段階でセット部材が初期位置へ復帰するとき、その復帰作動の停止直前になってから、上記の先羽根用第１駆動部材を作動させ、先羽根に閉じ作動を行わせる構成をしている。そして、そのとき、先羽根用第１駆動部材は、先羽根が露光開口を完全に開いている状態から完全に閉じている状態まで、上記した先羽根用セットばねの付勢力によって一気に回転させられることになる。そのため、何らかの対策を講じておかないと、そのような閉じ作動を停止するとき、先羽根に大きなバウンド（揺れ）が発生し、それが静まるまでは先羽根の露光作動を開始させることができなくなる。そこで、セット部材がセット位置から初期位置へ復帰するとき、その作動の初期段階で先羽根用第１駆動部材を作動させ、早期に先羽根に閉じ作動を開始させてしまうようにしたものが、下記の特許文献２に記載されている。
【００１１】
ところが、この特許文献２に記載されているフォーカルプレンシャッタは、撮影に際してレリーズボタンが押されたとき、セット部材がその初期位置へ復帰する段階で先羽根用第１駆動部材を回転し得るようにするための構成が、必ずしも量産上で好ましいものとはいえない。そこで、セット部材がその初期位置へ復帰する過程では、最初から先羽根用第１駆動部材が間接的にセット部材に追従して先羽根に閉じ作動を行わせていくようにし、セット部材がその初期位置へ完全に復帰する前になってその追従関係を解くことにより、セット部材が初期位置で停止したときには、バウンドが小さくて先羽根が好適に停止しているようにした、量産にも極めて有利な構成のフォーカルプレンシャッタが、下記の特許文献３に記載されている。
【００１２】
ところで、最近のカメラは、ますます多機能化が進んでおり、上記のように二つのシャッタ羽根を作動させて撮影を行えるように構成したフォーカルプレンシャッタであっても、撮影前に撮影者が選択することにより、ノーマリーオープン方式とノーマリークローズ方式のいずれでも撮影を行うことが要求されている。
しかるに、現在、カメラに使用されるフォーカルプレンシャッタには、例えば、本件出願人の提案による次の特許文献４に記載されるような、ノーマリーオープン方式での撮影とノーマリークローズ方式での撮影とを切換可能としたものがある。
【先行技術文献】
【特許文献】
【００１３】
【特許文献１】特開２００１−２２２０５９号公報
【特許文献２】特開２００３−２２２９２８号公報
【特許文献３】特開２００７−２９８５４４号公報
【特許文献４】特開２０１１−１１３０６０号公報
【発明の概要】
【発明が解決しようとする課題】
【００１４】
ところで、特許文献１〜３に記載されているような従来のフォーカルプレンシャッタを備えているデジタルカメラの場合には、例えば、図５１に示すように、露光作動が終了した後、後羽根が露光開口を覆っている状態のとき、撮像素子から撮像情報を記憶装置に転送し、その転送が終わってからセット部材を回転させてセット作動が行われ、後羽根に開き作動を行わせることによって、露光開口を全開にするように構成されている。そして、撮像素子から撮像情報を記憶装置に転送した後になってから、セット作動を開始させている理由は、周知のように、露光作動の終了後に直ちにセット作動を開始させてしまうと、撮像情報の転送中に露光開口から入射した光が撮像素子に当たって、撮像情報が損なわれてしまうからである。
【００１５】
また、特許文献４に記載のノーマリーオープン方式での撮影とノーマリークローズ方式での撮影とを切換可能なフォーカルプレンシャッタにおいても、露光作動が終了した後、後羽根が露光開口を覆っている状態のとき、撮像素子から撮像情報を記憶装置に転送し、その転送が終わってからセット部材を回転させてセット作動が行われ、後羽根に開き作動を行うように構成されており、撮像素子から撮像情報を記憶装置に転送した後になってから、セット作動を開始させている。
また、この種のフォーカルプレンシャッタにおけるセット作動は、セット部材が、カメラ本体側の部材に回転させられて行われるが、そのとき、セット部材は、先羽根用第２駆動部材と後羽根用駆動部材とを、上記した付勢力の大きな先羽根用駆動ばねと後羽根用駆動ばねの付勢力に抗して、露光作動終了位置からセット位置まで回転させるように構成されているため、そのセット作動には、露光作動に要する時間などに比較して圧倒的に長い時間を必要とする。
【００１６】
このことから、この種の構成をした従来のフォーカルプレンシャッタは、露光作動が終了してから次の撮影待機状態（セット完了状態）が得られるまでの時間については、セット作動に要する時間だけを考慮して決めればよいということにはならず、撮像情報の転送可能時間も確保する必要があって、その分だけ長くならざるを得ず、撮影終了後に直ちに次の撮影を行いたい場合や、連写モードでの撮影を行う場合などには、必ずしも好ましい構成とは言えなかった。
【００１７】
本発明は、このような問題点を解決するためになされたものであり、その目的とするところは、ノーマリーオープン方式での撮影とノーマリークローズ方式での撮影との切換が可能なタイプのフォーカルプレンシャッタにおいて、露光作動が終了してから次の撮影が行われるまでの時間を、撮像情報の転送可能時間を殆ど考慮しなくて決めることが可能であり、さらに連写速度の向上も可能なカメラ用フォーカルプレンシャッタ、及びそれを備えたデジタルカメラを提供することである。
【課題を解決するための手段】
【００１８】
上記の目的を達成するために、本発明のカメラ用フォーカルプレンシャッタは、ノーマリーオープン方式での撮影とノーマリークローズ方式での撮影とを切換えるフォーカルプレンシャッタであって、ノーマリーオープン方式での撮影では、セット部材がセット位置にあるときに先羽根を露光開口から退かせ、セット部材の初期位置への復帰作動時には先羽根に露光開口を覆わせ、ノーマリークローズ方式での撮影では、セット部材がセット位置にあるときからセット部材が初期位置に復帰し露光作動が開始するまでの間、先羽根に露光開口を覆わせることの可能な先羽根用駆動手段と、セット部材のセット作動時には係止部材に係止されていて後羽根を露光開口を覆った状態のままにしておきセット部材がセット位置に達する直前になって該係止部材による係止が解かれると後羽根を露光開口から退かせる後羽根用第１駆動部材と、セット部材のセット作動によってセット方向に回転され露光作動時には後羽根用第１駆動部材を露光作動方向に回転させ後羽根に露光開口を覆わせる後羽根用第２駆動部材と、を備えていることを特徴としている。
【００１９】
また、本発明のカメラ用フォーカルプレンシャッタにおいては、ノーマリークローズ方式での撮影における前記セット部材のセット作動時に、前記先羽根用駆動手段により前記先羽根が露光開口を完全に覆うタイミングが、前記係止部材による前記後羽根用第１駆動部材の係止を解除する前となるように構成されているのが好ましい。
【００２０】
また、本発明のカメラ用フォーカルプレンシャッタにおいては、前記セット部材が第１の押動部を有していて、前記係止部材が第１の被押動部を有しており、前記セット部材は、そのセット作動の終了直前において該第１の押動部が該第１の被押動部を押すことによって、前記係止部材による前記後羽根用第１駆動部材の係止を解くように構成されているのが好ましい。
【００２１】
また、本発明のカメラ用フォーカルプレンシャッタにおいては、前記セット部材がさらに第２の押動部を有していて、前記先羽根用駆動手段が第２の被押動部を有しており、前記セット部材は、ノーマリークローズ方式での撮影において、セット作動時に該第２の押動部が該第２の被押動部を押すことによって前記先羽根用駆動手段により前記先羽根に露光開口を覆わせるように構成されているのが好ましい。
【００２２】
また、本発明のカメラ用フォーカルプレンシャッタにおいては、前記先羽根用駆動手段は、抑止手段との当接及び当接の解除により前記先羽根の露光開口を閉じる方向への回転の抑止及び該抑止の解除がなされる被抑止部とを有し、前記先羽根の露光開口を閉じる方向への回転の抑止及び該抑止の解除によりノーマリーオープン方式での撮影とノーマリークローズ方式での撮影とが切換わるのが好ましい。
【００２３】
また、本発明のカメラ用フォーカルプレンシャッタにおいては、前記先羽根用駆動手段は、先羽根用駆動ばねにより露光作動方向に付勢された先羽根用第２駆動部材と、前記先羽根と連結されておりセットばねにより露光作動方向とは反対側に付勢された先羽根用第１駆動部材と、を含むのが好ましい。
【００２４】
また、本発明のカメラ用フォーカルプレンシャッタにおいては、前記抑止手段は、前記先羽根用第１駆動部材による前記先羽根の露光開口を閉じる方向への回転を抑止する方向及び該抑止を解除する方向へ作動可能な抑止部材を有し、前記抑止部材は、ノーマリーオープン方式での撮影時においては、前記セット部材によるセット作動終了後に前記先羽根用第１駆動部材による前記先羽根の露光開口を閉じる方向への回転の抑止を解除し、前記先羽根用第１駆動部材が前記先羽根の露光開口を閉じる方向へ回転後であって露光作動前に前記先羽根用第１駆動部材による前記先羽根の露光開口を閉じる方向への回転を抑止する方向へ作動して、露光作動終了直前に前記先羽根用第１駆動部材による前記先羽根の露光開口を開く方向の回転を制動するとともに、露光作動終了時に前記先羽根用第１駆動部材による前記先羽根の露光開口を閉じる方向への回転を抑止するのが好ましい。
【００２５】
また、本発明のカメラ用フォーカルプレンシャッタにおいては、前記抑止手段が、電磁装置であって、前記抑止部材が、該電磁装置の往復作動可能な可動子であるのが好ましい。
【００２６】
また、本発明のカメラ用フォーカルプレンシャッタにおいては、前記抑止手段が、前記抑止部材を前記先羽根用第１駆動部材による前記先羽根の露光開口を閉じる方向への回転を抑止する方向に作動可能なバネと、前記抑止部材を前記先羽根用第１駆動部材による前記先羽根の露光開口を閉じる方向への回転を抑止する方向に作動可能なバネの付勢力に抗した該抑止を解除する方向への作動及び該抑止を解除する方向への作動を解除しうる電磁装置を有するのが好ましい。
【００２７】
また、本発明のカメラ用フォーカルプレンシャッタにおいては、前記抑止部材は、露光作動終了時において前記先羽根用第１駆動部材がバウンドするのを抑止する機能も有しているのが好ましい。
【００２８】
また、本発明のカメラ用フォーカルプレンシャッタにおいては、前記係止部材は、露光作動終了時において前記後羽根用第１駆動部材がバウンドするのを抑止する機能も有しているのが好ましい。
【００２９】
更に、本発明のデジタルカメラは、上記のような各カメラ用フォーカルプレンシャッタを備えることによって、次の撮影を早く行うことが可能になり、また、好適な連写を行えるようにすることが可能になる。
【発明の効果】
【００３０】
本発明のカメラ用フォーカルプレンシャッタによれば、ノーマリーオープン方式での撮影とノーマリークローズ方式での撮影との切換が可能なタイプのフォーカルプレンシャッタにおいて、後羽根用駆動機構を、後羽根用セットばねの付勢力で回転したときには後羽根に露光開口を開かせる後羽根用第１駆動部材と、後羽根用駆動ばねの付勢力によって回転したときには後羽根用第１駆動部材を後羽根用セットばねの付勢力に抗して回転させ後羽根に露光開口を閉じさせる後羽根用第２駆動部材とで構成し、セット作動の開始時には係止部材によって後羽根用第１駆動部材の回転を係止して、後羽根用第２駆動部材だけを駆動ばねの付勢力に抗して回転させ、セット作動の最終段階でその係止を解除することにより後羽根用セットばねの付勢力による後羽根用第１駆動部材の回転を可能にしたので、撮像素子から記憶装置への撮像情報の転送時間を考慮せずにセット作動を開始させることができ、次の撮影を従来よりも早く行え、従来よりもシャッタチャンスを逸することがなくなるという利点がある。また、それによって、連続撮影を行う場合には、より細分化されたコマ写真が得られると共に連写速度の向上が可能になるという利点がある。
詳しくは、ノーマリーオープン方式での撮影では、シャッタセット作動開始からシャッタセット作動終了の直前まで後羽根により画枠を遮光した状態を保持できるため、セット作動中に撮影した画像データを撮像素子からメモリに転送することが可能となり、撮影からデータ取り込みまでの一連のシーケンス時間を短縮することができ、データ転送時間の長い撮像素子においてもコマ速の高速化が可能となる。また、ノーマリークローズ方式での撮影においても、先羽根が露光開口を完全に覆うタイミングを係止部材が後羽根の係止を解除する前となるように構成することで、シャッタセット途中で画枠が開くことなくセット作動中に撮影した画像データを撮像素子からメモリに転送することが可能となり、撮影からデータ取り込みまでの一連のシーケンス時間を短縮することができ、データ転送時間の長い撮像素子においてもコマ速の高速化が可能となる。
従って、本発明によれば、ノーマリーオープン方式での撮影とノーマリークローズ方式での撮影との切換が可能なタイプのフォーカルプレンシャッタにおいて、コマ速が高速化でき、露光作動が終了してから次の撮影が行われるまでの時間を、撮像情報の転送可能時間を殆ど考慮しなくて決めることが可能なカメラ用フォーカルプレンシャッタ、及びそれを備えたデジタルカメラが得られる。
【図面の簡単な説明】
【００３１】
【図１】本発明の実施例にかかるカメラ用フォーカルプレンシャッタにおける、ノーマリーオープン方式又は先羽根の代わりに電子シャッタを用いたノーマリークローズ方式での露光作動終了直後の状態を示す平面図である。
【図２】図１の左側約半分を拡大して示す平面図である。
【図３】図２の状態からセット作動を開始した初期段階において、先羽根が露光開口から退いた状態を保持し、後羽根が露光開口を覆っている状態を示す平面図である。
【図４】図３の状態よりもセット作動が進んで、後羽根第１駆動部材が係止手段による係止を解除されて、後羽根が露光開口を開き始めている途中の状態を示す平面図である。
【図５】ノーマリーオープン方式又は先羽根の代わりに電子シャッタを用いたノーマリークローズ方式によるセット作動が完了し、露光開口が全開している状態を示す平面図である。
【図６】ノーマリーオープン方式での撮影において、図５の状態からカメラのレリーズボタンが押された後、露光作動に先立って、先羽根第１駆動部材が抑止手段による抑止を解除されて、先羽根が露光作動開始位置へ移動中の状態を示す平面図である。
【図７】図６の状態から先羽根の露光作動開始位置への移動が終了し、セット部材が初期位置へ復帰し、抑止手段が先羽根第１駆動部材を抑止する位置に作動した、露光作動が開始される直前の状態を示す平面図である。
【図８】図７の状態から先羽根と後羽根が露光作動を開始後の状態を示す平面図である。
【図９】図８の状態から先羽根と後羽根が露光作動を行っている途中における先羽根第１駆動部材が抑止手段に制動される状態を示す平明図である。
【図１０】図９の状態から先羽根と後羽根が露光作動を終了する直前における先羽根第１駆動部材が抑止手段とセット部材とに制動される状態を示す平面図である。
【図１１】本実施例のカメラ用フォーカルプレンシャッタにおけるノーマリーオープン方式によるセット作動の完了状態からカメラのレリーズボタンの押下、露光作動、セット作動までの各主要構成手段の作動シーケンスを示す説明図であって、撮像情報の転送とシャッタセット作動との作動シーケンスを示すタイミングチャートである。
【図１２】本実施例にかかるカメラ用フォーカルプレンシャッタにおける、ノーマリークローズ方式での露光作動終了直後の状態を、左側約半分を拡大して示す平面図である。
【図１３】本実施例のカメラ用フォーカルプレンシャッタにおける図１２の状態からノーマリークローズ方式によるセット作動を開始した初期段階において、後羽根が露光開口を覆っているときに、先羽根が露光開口を覆い始めている途中の状態を示す平面図である。
【図１４】図１３の状態よりもセット作動が進んで、先羽根が露光開口を覆った後に、後羽根第１駆動部材が係止手段による係止を解除されて、後羽根が露光開口を開き始めている途中の状態を示す平面図である。
【図１５】ノーマリークローズ方式によるセット作動が完了し、先羽根が露光開口を覆い、後羽根が露光開口から退いた状態を示す平面図である。
【図１６】図１５の状態からカメラのレリーズボタンが押された後、露光作動に先立って、セット部材が初期位置へ復帰した状態を示す平面図である。
【図１７】図１６の状態から先羽根と後羽根が露光作動を開始後の状態を示す平面図である。
【図１８】図１７の状態から先羽根と後羽根が露光作動を終了する直前において、先羽根第１駆動部材がセット部材に制動され、後羽根第１駆動部材が係止手段に制動される状態を示す平面図である。
【図１９】本実施例のカメラ用フォーカルプレンシャッタにおけるノーマリークローズ方式によるセット作動の完了状態からカメラのレリーズボタンの押下、露光作動、セット作動までの各主要構成手段の作動シーケンスを示す説明図であって、撮像情報の転送とシャッタセット作動との作動シーケンスを示すタイミングチャートである。
【図２０】本実施例のカメラ用フォーカルプレンシャッタにおいて先羽根の代わりに電子シャッタを用いた方式による撮影状態を示す説明図で、図５の状態からカメラのレリーズボタンが押された後、セット部材が初期位置へ復帰した、露光作動が開始される直前の状態を示す平面図である。
【図２１】図２０の状態から後羽根が露光作動を開始後の状態を示す平面図である。
【図２２】本実施例のカメラ用フォーカルプレンシャッタにおいて先羽根の代わりに電子シャッタを用いた方式によるセット作動の完了状態からカメラのレリーズボタンの押下、露光作動、セット作動までの各主要構成手段の作動シーケンスを示す説明図であって、撮像情報の転送とシャッタセット作動との作動シーケンスを示すタイミングチャートである。
【図２３】従来のカメラ用フォーカルプレンシャッタにおけるノーマリーオープン方式でのセット作動の完了状態からカメラのレリーズボタンの押下、露光作動、セット作動までの各主要構成手段の作動シーケンスを示す説明図であって、撮像情報の転送とシャッタセット作動との作動シーケンスを示すタイミングチャートである。
【発明を実施するための形態】
【００３２】
本発明の実施の形態を、図示した実施例によって説明する。これらの実施例は、ダイレクトタイプのフォーカルプレンシャッタの構成に本発明を適用したものであるが、本発明は、係止タイプとして構成したものにも適用することが可能である。そして、そのことは、下記の説明から、当業者であれば、容易に理解することができる。
【実施例】
【００３３】
先ず、主に、図１及び図２を用いて、本発明の実施例の構成を説明するが、図１は、ノーマリーオープン方式又は先羽根の代わりに撮像素子の電子シャッタを用いた方式での露光作動終了直後の状態を示した平面図であり、図２は、図１の左側約半分を拡大して示した平面図である。尚、本実施例の説明においては、本実施例のフォーカルプレンシャッタをカメラに組み込んだとき、図１の表面側（手前側）が被写体側（撮影レンズ側）であり、図１の背面側が撮像素子側であることを前提にして説明する。しかしながら、周知のように、デジタルカメラの場合には、図１の表面側を撮像素子側にし、図１の背面側を被写体側にすることもある。
【００３４】
図１において、シャッタ地板１の略中央部には、長方形を横長にした露光用の開口部１ａが形成されている。また、周知のように、シャッタ地板１の背面側には、所定の間隔を空けて、中間板２と補助地板３が順に取り付けられており、シャッタ地板１と中間板２との間に先羽根の羽根室を構成し、中間板２と補助地板３との間に後羽根の羽根室を構成している。そして、中間板２と補助地板３にも、開口部１ａと類似してはいるが、形状や大きさが若干異なっている開口部２ａ，３ａが形成されている。そして、被写体光を通過させるためのシャッタユニットとしての露光開口の形状は、それらの開口部１ａ，２ａ，３ａの二つ以上で形成されることもあるが、本実施例においては、開口部１ａの形状だけで露光開口の形状が決められている。
【００３５】
尚、本実施例のシャッタ地板１は合成樹脂製である。また、図１は、中間板２と補助地板３の一部が見えるようにするために、シャッタ地板１の開口部１ａに隣接する一部の領域を故意に破断して示している。更に、図１及び図２においては、中間板２の外形形状が破線で示されているのに対し、補助地板３の外形形状は、シャッタ地板１の外形と略同じであるため示されていないが、このことは、図３〜図１０、図１２〜図１８、図２０及び図２１の場合も同じである。
【００３６】
シャッタ地板１には、開口部１ａの左側の領域に、円弧状の二つの長孔１ｂ，１ｃが形成されており、長孔１ｂの両端部及び長孔１ｃの上方端部には、平面形状が略Ｃ字状をした周知のゴム製の緩衝部材４，４’，５が取り付けられている。また、中間板２は、長孔１ｂ，１ｃを形成している領域には重ならない形状をしているが、補助地板３は、薄い板部材であって、長孔１ｂ，１ｃを形成している領域と重なるため、実際には、それらの長孔１ｂ，１ｃと重なるところに、略同じ形状をした図示していない長孔が形成されている。
【００３７】
シャッタ地板１の表面側、即ち被写体側には、軸１ｄ，１ｅ，１ｆ，１ｇが立設されているが、それらのうち、軸１ｇは、他の軸１ｄ，１ｅ，１ｆよりも短い。また、シャッタ地板１の背面側、即ち撮像素子側には、軸１ｈ，１ｉ，１ｊ，１ｋが立設されているが、それらのうち、軸１ｈ，１ｉは、上記の軸１ｄ，１ｅと同心上に立設されている。また、シャッタ地板１の表面側には、ストッパ部３１が設けられている。さらに、シャッタ地板１の表面側における緩衝部材４の近傍であって軸１ｇを中心とした円周上には、円弧状の短い孔１ｐが設けられている。
【００３８】
シャッタ地板１の表面側には、実際には、このほかにも、複数の柱が立設されており、それらの先端には、特許文献３にも記載されているような支持板とプリント配線板とが、支持板をシャッタ地板１側にして取り付けられており、その支持板のシャッタ地板１側には、各々が、略Ｕ字形をしていて二つの脚部の先端を磁極部とした鉄芯部材と、コイルを巻回していて鉄芯部材の一方の脚部に嵌装されたボビンとで構成されている、先羽根用電磁石と後羽根用電磁石が取り付けられている。しかしながら、それらの電磁石の構成や支持板への取付け構成は周知であり、且つそれらの電磁石の構成を全て図示すると、他の構成部材が分かりにくくなってしまうため、図１及び図２のほか図３〜図１０、図１２〜図１８、図２０及び図２１においても、それらの電磁石の鉄芯部材６，７だけを、一点鎖線で示してある。
【００３９】
シャッタ地板１の表面側に立設されている上記の軸１ｄには、先羽根用駆動機構を構成していて、いずれも合成樹脂製である、先羽根用第１駆動部材８と先羽根用第２駆動部材９とが、先羽根用第１駆動部材８の方をシャッタ地板１側にして、個々に回転可能に取り付けられている。尚、それらのうち、先羽根用第１駆動部材８の形状については、図１及び図２よりも図４の方に理解し易く示されている。
【００４０】
先ず、先羽根用第１駆動部材８は、被抑止部８ａと、被押動部８ｂと、駆動ピン８ｃとを有している。それらの部位のうち、被押動部８ｂと駆動ピン８ｃは、表面側と背面側とで重なるように形成されており、背面側に形成されている駆動ピン８ｃは、シャッタ地板１の上記の長孔１ｂに挿入されている。そして、この駆動ピン８ｃは、根元側の部位の断面が円形をしていて、その円弧面が上記の緩衝部材４に当接し得るようになっている。また、先端側の部位の断面は砲弾形をしていて、後述のように羽根室内で先羽根に連結されており、その最先端部を、補助地板３に形成されていて長孔１ｂと略同じ形状をしている図示していない長孔に挿入している。尚、駆動ピン８ｃの根元側の部位の断面はＤ形であってもよい。また、駆動ピン８ｃの先端側の部位の断面形状は小判形であってもよい。また、被抑止部８ａは、曲率の緩やかな凹面形状に形成されている。
【００４１】
他方、先羽根用第２駆動部材９は、被押動部９ａと、被写体側に部厚く形成した取付部９ｂと、押動部９ｃとを有していて、周知のように図示していない先羽根用駆動ばねの付勢力によって反時計方向（図２における軸１ｄを中心とした矢印Ａ方向）へ回転するように付勢されており、取付部９ｂの内部には、周知のように、鉄片部材１０と図示していない圧縮ばねとが収容されている。それらのうち、押動部９ｃは、先羽根用第２駆動部材９が反時計方向（図２における軸１ｄを中心とした矢印Ａ方向）へ回転するとき、先羽根用第１駆動部材８に設けられている上記の被押動部８ｂを押す部位である。
【００４２】
また、鉄片部材１０は、軸部１０ａの一端に円盤状をした頭部１０ｂを有していて、他端には鉄片部１０ｃを取り付けている。そして、この鉄片部材１０は、取付部９ｂ内で軸部１０ａに嵌装した上記の圧縮ばねによって、鉄片部１０ｃを取付部９ｂ内から突き出すように付勢されているが、頭部１０ｂが取付部９ｂの縁に接触していることによって、図１及び図２に示された状態が維持されている。
【００４３】
シャッタ地板１の表面側に立設されている上記の軸１ｅには、後羽根用駆動機構を構成していて、いずれも合成樹脂製である、後羽根用第１駆動部材１１と後羽根用第２駆動部材１２とが、後羽根用第１駆動部材１１の方をシャッタ地板１側にして、個々に回転可能に取り付けられている。
【００４４】
先ず、後羽根用第１駆動部材１１は、被係止部１１ａと、被押動部１１ｂと、駆動ピン１１ｃとを有している。背面側に形成されている駆動ピン１１ｃは、シャッタ地板１の上記の長孔１ｃに挿入されている。そして、この駆動ピン１１ｃは、根元側の部位の断面が円形をしていて、その円弧面が上記の緩衝部材５に当接し得るようになっている。また、先端側の部位の断面は砲弾形をしていて、後述のように羽根室内で後羽根に連結されており、その最先端部を、補助地板３に形成されていて長孔１ｃと略同じ形状をした図示していない長孔に挿入している。尚、駆動ピン１１ｃの根元側の部位の断面はＤ形であってもよい。また、駆動ピン１１ｃの先端側の部位の断面形状は小判形であってもよい。
【００４５】
他方、後羽根用第２駆動部材１２は、被写体側に部厚く形成した取付部１２ａと、シャッタ地板１側に形成した押動部１２ｂとを有していて、シャッタ地板１側の面には、被押動部としてのローラー１３を取り付けている。そして、周知のように、この後羽根用第２駆動部材１２は、図示していない後羽根用駆動ばねの付勢力によって反時計方向（図２における軸１ｅを中心とした矢印Ｃ方向）へ回転するように付勢されているが、押動部１２ｂは、その回転時に、上記の後羽根用第１駆動部材１１の被押動部１１ｂを押す部位である。
【００４６】
この後羽根用第２駆動部材１２の取付部１２ａにも、その内部に、鉄片部材１４と図示していない圧縮ばねとが収容されている。そして、鉄片部材１４は、軸部１４ａの一端に円盤状をした頭部１４ｂを有していて、他端には鉄片部１４ｃを取り付けている。また、この鉄片部材１４は、取付部１２ａ内で軸部１４ａに嵌装されている上記の圧縮ばねによって、鉄片部１４ｃを取付部１２ａ内から突き出すように付勢されているが、頭部１４ｂが取付部１２ａの縁に接触していることによって、図１及び図２に示された状態が維持されている。
【００４７】
シャッタ地板１の表面側に立設されている上記の軸１ｆには、合成樹脂製のセット部材１５が回転可能に取り付けられている。このセット部材１５は、図示していないカメラ本体側の部材によって押される被押動部１５ａと、先羽根用第２駆動部材９の上記の被押動部９ａを押す押動部１５ｂと、後羽根用第２駆動部材１２に取り付けられている上記のローラー１３を押す押動部１５ｃと、可撓性を有していて先羽根用第２駆動部材９の上記の被押動部９ａに押されて撓まされる制動部１５ｄとを有しているほか、シャッタ地板１側の面には、軸１ｆを囲むようにして肉厚部が形成されており、その肉厚部には、押動部１５ｅが形成されている。さらに、セット部材１５は、被押動部１５ａを有しているアーム状の部位１５−１に、当接部１５ｆを有している。
【００４８】
そして、このセット部材１５は、図示していない復帰ばねによって時計方向（図２における軸１ｆを中心とした矢印Ｅ方向）へ回転するように付勢されているが、図１及び図２は、そのような復帰ばねの付勢力によって時計方向（図２における軸１ｆを中心とした矢印Ｅ方向）へ回転するのを、当接部１５ｆが、シャッタ地板１に設けられたストッパ部３１に当接して、停止させられている状態を示したものである。以下、セット部材１５については、この位置を初期位置ということにする。
【００４９】
尚、本実施例では、セット部材１５が、被押動部１５ａ及び当接部１５ｆを有しているアーム状の部位１５−１だけを金属製部材で構成し、押動部１５ｂ、押動部１５ｃ及び制動部１５ｄを有している部位１５−２を軟質の合成樹脂製部材で構成して、その他の部位１５−３（押動部１５ｅが形成された肉厚部）との三者を、合成樹脂製部材１５−２のシャッタ地板１側の面に金属製部材１５−１をねじ（符号を省略してある。）で取り付けるとともに部位１５−３を合成樹脂性部材に一体成形することによって一つの部品にして制作されている。本実施例におけるセット部材１５を合成樹脂材料だけで製作することも可能であるが、量産上のことを考えると、同一の合成樹脂材料でこのような形状の部品を製作するのは容易でない。例えば、被押動部１５ａは、カメラ本体側の部材によって繰り返し強く押されるところであるにもかかわらず、細長いアーム状の部位の先端に設けられているため、アーム状の部位を強度的に耐えられるようにする必要がある。また、他の部位は可撓性を有さず制動部１５ｄにだけ可撓性を持たせるようにするためには高度の成形加工技術を要求される。そのため、セット部材１５を実際に量産する場合には、本実施例のように、被押動部１５ａを有しているアーム状の部位１５−１だけを金属製とし、制動部１５ｄを有している部位１５−２を軟質の合成樹脂製として、その他の部位１５−３との三者を一体化して一つの部品にするのが最適である。
【００５０】
シャッタ地板１の表面側には、図示省略したねじによって、抑止手段１６が取り付けられている。本実施例の抑止手段１６は、特開２００５−１７３１３２号公報などに記載されている周知の電流制御式アクチュエータの構成を変形させた電磁装置であり、先羽根用第１駆動部材８が、図１及び図２の位置から時計方向へ回転するのを抑止可能とするために、合成樹脂製であって先端面が図１及び図２における先羽根用第１駆動部材８の被抑止部８ａに面接触しうる曲率の緩やかな凸面形状に形成された、棒状の抑止部材１６ｂを永久磁石回転子１６ａの回転軸と垂直になるようにして、永久磁石回転子１６ａと一体に形成している。
【００５１】
より詳しくは、抑止手段１６は、永久磁石回転子１６ａと、抑止部材１６ｂと、固定子枠１６ｃと、コイル１６ｄと、ヨーク１６ｅと、磁性体棒１６ｆを有している。
固定子枠１６ｃは、円筒形の一端を封鎖したコップ状をしていて、図示していない板状の固定子枠との間に、永久磁石回転子１６ａの収容室を構成している。そして収容室内で永久磁石回転子１６ａを軸受け状態にしておき、収容室の外側に形成されている溝に両方の軸受け部を囲むようにコイル１６ｄを巻回することによって一体化されている。そして、そのようにした後、固定子枠１６ｃには、円筒形のヨーク１６ｅが嵌装されている。
【００５２】
固定子枠１６ｃには、窓１６ｃ−２が形成されており、抑止部材１６ｂは、その窓から外部へ突き出され、永久磁石回転子１６ａによって、窓１６ｃ−２の側端部１６ｃ−２1と１６ｃ−２2との間の所定の角度範囲内でだけ往復回転し得るようになっている。また、図２に示されているように、固定子枠１６ｃには、永久磁石回転子１６ａの回転軸と平行になるようにして４本の磁性体棒１６ｆ（便宜上、１本にだけ符号を付けてある）が被写体側から挿入されている。更に、固定子枠１６ｃには、張出部１６ｃ−１が形成されており、抑止手段１６は、その張出部１６ｃ−１を図示していないねじで螺着することによって、シャッタ地板１に取り付けられている。尚、周知のように、磁性体棒１６ｆは４本に限定されるものではない。
【００５３】
永久磁石回転子１６ａは、径方向に着磁されており、コイル１６ｄに対して逆方向に通電すると、反時計方向へ回転させられ、抑止部材１６ｂの側面が窓１６ｃ−２の側端部１６ｃ−２2に当接することによって、停止させられるようになっている。また、コイル１６ｄに対して順方向に通電すると、永久磁石回転子１６ａは時計方向へ回転させられ、抑止部材１６ｂの側面が窓１６ｃ−２の側端部１６ｃ−２1に当接することによって、停止させられるようになっている。
【００５４】
そして、抑止部材１６ｂの側面が窓１６ｃ−２の側端部１６ｃ−２2に当接しているときに、コイル１６ｄに対する通電を断っても、永久磁石回転子１６ａと４本の磁性体棒１６ｆとの間に作用する永久磁石回転子１３ａの磁力によって、永久磁石回転子１３ａには反時計方向へ回転する力が付与されていて、抑止部材１６ｂの側面を窓１６ｃ−２の側端部１６ｃ−２2に当接させた状態が維持され、また、抑止部材１６ｂの側面が窓１６ｃ−２の側端部１６ｃ−２1に接触しているとき、コイル１６ｄに対する通電を断っても、上記と同じ理由によって、永久磁石回転子１６ａには時計方向へ回転する力が付与されていて、抑止部材１６ｂの側面を窓１６ｃ−２の側端部１６ｃ−２1に当接させた状態が維持されるようになっている。
【００５５】
尚、例えば、図１１のタイミングチャートに記載されている「抑止手段」における「＋ＯＮ」は、上記のように、永久磁石回転子１６ａを時計方向へ回転させるための制御信号が発せられ、コイル１６ｄに対して順方向へ電流が供給されている状態を意味し、「−ＯＮ」は、永久磁石回転子１６ａを反時計方向へ回転させるための制御信号が発せられ、コイル１６ｄに対して逆方向へ電流が供給されている状態を意味している。そして、「ＯＦＦ」は、いずれの信号も発せられず、コイル１６ｄに対して通電されていない状態を示すものである。そして、このことは、他のタイミングチャートにおいても同じである。
【００５６】
なお、抑止部材１６ｂの側面が窓１６ｃ−２の側端部１６ｃ−２2に当接した状態においては、抑止部材１６ｂは、先羽根用第１駆動部材８における被抑止部８ａの作動軌跡内であって、円弧状の長孔１ｂの上方端部側に進入している。また、駆動ピン８ｃが緩衝部材４に当接する位置にあるときに、抑止部材１６ｂの側面が窓１６ｃ−２の側端部１６ｃ−２2に当接した状態においては、抑止部材１６ｂの先端面が先羽根用第１駆動部材８の被抑止部８ａに面接触しうるようになっている。
【００５７】
シャッタ地板１の表面側に立設されている上記の軸１ｇには、合成樹脂製の係止部材１７が回転可能に取り付けられている。この係止部材１７は、後羽根用第１駆動部材１１の被係止部１１ａに係合することによって、後羽根用第１駆動部材１１の時計方向の回転を係止する係止部１７ａと、セット部材１５の押動部１５ｅによって押される被押動部１７ｂと、ストッパピン１７ｃを有していて、図示していないばねによって反時計方向へ回転するように付勢されている。図１及び図２は、係止部材１７の回転を、シャッタ地板１に設けられた孔１ｐの縁にストッパピン１７ｃが当接することによって停止されている状態を示したものである。
【００５８】
次に、シャッタ地板１の背面側の構成を説明する。先ず、シャッタ地板１と中間板２の間に配置されている先羽根は、シャッタ地板１の上記の軸１ｈに対して一端を回転可能に取り付けられたアーム１８と、シャッタ地板１の上記の軸１ｊに対して一端を回転可能に取り付けられたアーム１９と、それらの自由端である他端部に向けて順に枢支された４枚の羽根２０，２１，２２，２３とで構成されており、羽根２３が先羽根のスリット形成羽根となっている。そして、周知のように、先羽根用第１駆動部材８の駆動ピン８ｃの先端部は、アーム１８に形成された図示していない長孔に嵌合している。
【００５９】
また、シャッタ地板１の軸１ｊには、図示していないねじりコイルばねである先羽根用セットばねが嵌装されていて、その一端をシャッタ地板１に設けられた図示していないばね掛け部に掛け、他端をアーム１９の孔（符号なし）に掛けて、アーム１９を時計方向（図２における軸１ｊを中心とした矢印Ｂ方向）へ回転させるように付勢している。そのため、この先羽根用セットばねは、先羽根を介して間接的に先羽根用第１駆動部材８を時計方向へ回転させるように付勢していることになる。尚、その付勢力は、先羽根用第２駆動部材９を反時計方向へ回転させるように付勢している上記の先羽根用駆動ばねの付勢力よりは弱くなっている。
【００６０】
このような先羽根用セットばねは、本実施例のようには構成しないで、シャッタ地板１の表面側で、一端をシャッタ地板１に掛け他端を先羽根用第１駆動部材８に掛けるようにしたり、一端を先羽根用第２駆動部材９に掛け他端を先羽根用第１駆動部材８に掛けるようにしたりすることも知られている。そのため、本発明は、それらのように構成することを妨げるものではない。しかしながら、本実施例のように構成すると、先羽根用セットばねに、先羽根に対する周知のガタ寄せばね（先羽根の構成部品間のガタツキをなくし、スリット形成羽根の露光作動開始位置での姿勢を一定にするためにアーム１９に掛けられるばね）の役目を兼用させることができるので、有利である。
【００６１】
他方、中間板２と補助地板３との間に配置されている後羽根は、シャッタ地板１の上記の軸１ｉに対して一端を回転可能に取り付けられたアーム２５と、シャッタ地板１の上記の軸１ｋに対して一端を回転可能に取り付けられたアーム２６と、それらの自由端である他端部に向けて順に枢支された４枚の羽根２７，２８，２９，３０とで構成されており、羽根３０が後羽根のスリット形成羽根となっている。そして、周知のように、後羽根用第１駆動部材１１の駆動ピン１１ｃの先端部は、アーム２５に形成された図示していない長孔に嵌合している。
【００６２】
また、シャッタ地板１の軸１ｋには、図示していないねじりコイルばねである後羽根用セットばねが嵌装されていて、その一端をシャッタ地板１の図示していないばね掛け部に掛け、他端をアーム２６の孔（符号なし）に掛けて、アーム２６を時計方向（図２における軸１ｋを中心とした矢印Ｄ方向）へ回転させるように付勢している。そのため、この後羽根用セットばねは、後羽根を介して間接的に後羽根用第１駆動部材１１を時計方向へ回転させるように付勢しているが、その付勢力は、後羽根用第２駆動部材１２に掛けられている上記の図示していない後羽根用駆動ばねの付勢力よりも弱くなっている。そして、この後羽根用セットばねの場合にも、周知の後羽根のガタ寄せばね（後羽根のスリット形成羽根の露光作動開始位置での姿勢を一定にするためにアーム２６に掛けられるばね）の役目を兼用させているが、後羽根用第１駆動部材１１に直接掛けるように構成しても差し支えない。なお、便宜上、矢印Ａ〜Ｅは図２にのみ示してある。
【００６３】
次に、上記の構成説明に用いた図２と、図３〜図２２とを用いて本実施例の作動を説明する。尚、図１１、図１９及び図２２は、カメラのレリーズボタンを押してから次の撮影待機状態が得られるまでを１サイクルとした主な構成部材の作動のタイミングを分かり易く示したチャート図である。
【００６４】
図２は、既に説明したように、露光作動終了直後の状態を示したものである。このとき、先羽根用第２駆動部材９は、図示していない周知の先羽根用駆動ばねによって、反時計方向へ回転するように付勢されており、その押動部９ｃが、図示していない先羽根用セットばねの付勢力に抗して先羽根用第１駆動部材８の被押動部８ｂを押し、先羽根用第１駆動部材８の駆動ピン８ｃを緩衝部材４に接触させていることによって、この停止状態が維持されている。そして、このとき、先羽根の４枚の羽根２０〜２３は、重畳状態になって開口部１ａの上方位置に格納されている。
【００６５】
他方、後羽根用第２駆動部材１２は、図示していない周知の後羽根用駆動ばねにより、その押動部１２ｂが、図示していない後羽根用セットばねの付勢力に抗して後羽根用第１駆動部材１１の被押動部１１ｂを押し、後羽根用第１駆動部材１１を反時計方向へ回転させるように付勢されているが、後羽根用第１駆動部材１１の駆動ピン１１ｃが緩衝部材５に接触しているため、この停止状態が維持されている。そして、このとき、後羽根の４枚の羽根２７〜３０は、展開状態になって開口部１ａを覆っている。また、係止部材１７は、図示していないばねの付勢力による反時計方向への回転を、シャッタ地板１に設けられた孔１ｐの縁にストッパピン１７ｃが当接することによって阻止されており、後羽根用第１駆動部材１１が時計方向へ回転しようとすると、係止部１７ａが被係止部１１ａを係止することによって、その回転を阻止し得るようになっている。
【００６６】
また、このとき、セット部材１５は初期位置にあり、一方の押動部１５ｂは、先羽根用第２駆動部材９の被押動部９ａから離れており、他方の押動部１５ｃは、後羽根用第２駆動部材１２に取り付けられたローラー１３から離れている。
【００６７】
撮影に際して先羽根と後羽根による露光作動が終了し、このような図２に示された状態になると、直ちに撮像情報が撮像素子から情報処理回路を介して記憶装置に転送されるが、カメラに備えられている制御回路には、そのための転送可能時間が予め設定されている。そして、従来は、図２３に示されているように、撮像情報の転送可能時間が経過してから、セット部材に初期位置からセット作動を開始させていた。何故ならば、従来のノーマリーオープン方式のフォーカルプレンシャッタは、そのセット作動により、後羽根の方は、開口部１ａから完全に退いた状態にさせるが、先羽根の方は、開口部１ａを完全に覆った状態にさせないため、撮像情報の転送可能時間中にセット作動を開始させてしまうと、撮像情報の転送中に撮像素子に光が当たってしまい、スミア現象が生じて撮像情報が乱されてしまうからである。
【００６８】
しかるに、本実施例のフォーカルプレンシャッタは、ノーマリーオープン方式での撮影時においては、図１１に示されているように、撮像情報転送可能時間中にセット部材１５にセット作動を開始させても、後羽根は開口部１ａを覆ったままであって撮像素子には光が当たらないようにし、撮像情報転送可能時間の経過後であって、セット部材のセット作動が終了する直前になってから後羽根に開き作動を行わせ、開口部１ａを全開状態にさせるようにしている。また、ノーマリークローズ方式での撮影時においては、図１９に示されているように、撮像情報転送可能時間中にセット部材１５にセット作動を開始させても、後羽根は開口部１ａを覆ったままであって撮像素子には光が当たらないようにし、撮像情報転送可能時間の経過後であって、先羽根が露光開口を完全に覆い、セット部材のセット作動が終了する直前になってから後羽根に開き作動を行わせ、開口部１ａを全開状態にさせるようにしている。そのため、本実施例のフォーカルプレンシャッタによれば、ノーマリーオープン方式／ノーマリークローズ方式のいずれの撮影に際してもカメラのレリーズボタンを押してから、撮影が終了し、次の撮影待機状態が得られるまでの一連の撮影サイクル（Ｔ）が、図２３の従来例の撮影サイクル（ｔ）よりもかなり短くなって、次の撮影が早く行えることになる。
そこで、以下においては、本実施例のフォーカルプレンシャッタがそのような作動を好適に行えることを、具体的に説明する。
【００６９】
露光作動が終了して図２の状態が得られると、本実施例の場合には、上記したように、直ちにセット作動が開始されるが、そのセット作動は、図示していないカメラ本体側の部材が、セット部材１５の被押動部１５ａを下方へ押し、図示していない復帰ばねの付勢力に抗してセット部材１５を反時計方向へ回転させることによって行なわれる。
ここで、本実施例のカメラ用フォーカルプレンシャッタは、撮影前に、カメラに備えられている図示していない選択手段を操作することによって、ノーマリーオープン方式の撮影モードとノーマリークローズ方式の撮影モードとを選択して撮影することが可能となっている。また、先羽根と後羽根とで露光作動を行う撮影モードの他に、さらに、先羽根の代わりに撮像素子の電子シャッタを用いて電子シャッタと後羽根とで露光作動を行う撮影モードも上記選択手段の操作によって選択できるようになっている。
そのため、本実施例の作動説明に際しては、ノーマリーオープン方式の撮影モードでの作動、ノーマリークローズ方式における先羽根と後羽根とで露光作動を行う撮影モードでの作動、撮像素子の電子シャッタと後羽根とで露光作動を行う撮影モードでの作動の順に説明することにする。
【００７０】
そこで、まず、シャッタ羽根が露光開口を全開にしている状態を初期位置（撮影待機状態）としたものであって、撮影に際してレリーズボタンが押されても、シャッタ羽根は直ちには作動せず、撮影の最終段階において、その初期位置からスタートする、ノーマリーオープン方式の撮影モードでの作動を、各々の作動段階における図２〜図１０の平面図と、主要な構成手段の作動関係を示した図１１のタイミングチャートを用いて説明する。
本実施例のフォーカルプレンシャッタにおけるノーマリーオープン方式の撮影モードでは、電子ファインダを用いて撮影する場合であるので、図示していない可動ミラーを備えたカメラの場合には可動ミラーがアップ状態になっている。また、図２に示された露光作動終了直後の状態においては、抑止手段１６は、抑止部材１６ｂの側面が窓１６ｃ−２の側端部１６ｃ−２2に当接した状態で、コイル１６ｄに対する通電を断たれている。抑止部材１６ｂは、先羽根用第１駆動部材８における被抑止部８ａの作動軌跡内であって、円弧状の長孔１ｂの上方端部側に進入しており、抑止部材１６ｂの先端面が、緩衝部材４に当接する位置にある先羽根用第１駆動部材８の被抑止部８ａに面接触している。これにより、先羽根用第１駆動部材８による先羽根の露光開口を閉じる方向への回転が抑止された状態になっている。
【００７１】
ノーマリーオープン方式の撮影モードでは、図２に示された露光作動終了直後の状態から、直ちに、セット作動が開始される。セット部材１５が回転を開始すると、セット部材１５の押動部１５ｂが先羽根用第２駆動部材９の被押動部９ａを押し、先羽根用第２駆動部材９を図示していない先羽根用駆動ばねの付勢力に抗して時計方向へ回転させ始める。このとき、先羽根用第１駆動部材８には、図示していないセットばねにより、先羽根を介して時計方向へ回転する力が与えられているが、抑止部材１６ｂの先端面が図２の位置にある先羽根用第１駆動部材８の被抑止部８ａに当接することによって、停止させられている。
【００７２】
セット部材１５の押動部１５ｂが先羽根用第２駆動部材９の被押動部９ａを押すのと殆ど時期を同じくして、セット部材１５のもう一方の押動部１５ｃが後羽根用第２駆動部材１２に取り付けられているローラー１３を押し、後羽根用第２駆動部材１２を図示していない後羽根用駆動ばねの付勢力に抗して時計方向へ回転させ始める。そのときの状態が、図３に示されている。
【００７３】
図３の状態が得られた後も、セット部材１５は反時計方向への回転を続けるので、後羽根用第２駆動部材１２は、ローラー１３を押動部１５ｃに押され、図示していない後羽根用駆動ばねの付勢力に抗して時計方向へ回転させられるが、後羽根用第１駆動部材１１は、係止部材１７の係止部１７ａによって被係止部１１ａを係止されるので、セット部材１５の押動部１５ｅが係止部材１７の被押動部１７ｂを押して係止部材１７を図示していないばねの付勢力に抗して時計方向へ回転させて係止部１７ａが被係止部１１ａの係止を解除するまでは、図示していない後羽根用セットばねの付勢力により、被押動部１１ｂを後羽根用第２駆動部材１２の押動部１２ｂに追従させて時計方向へ回転することができない。そのため、後羽根の４枚の羽根２７〜３０は、開口部１ａを覆ったままの状態で、後羽根用第２駆動部材１２だけが時計方向へ回転を続けることになる。
【００７４】
その後、先羽根用第２駆動部材９と後羽根用第２駆動部材１２に取り付けられている鉄片部材１０，１４の鉄片部１０ｃ，１４ｃが、相前後して先羽根用電磁石と後羽根用電磁石の鉄芯部材６，７の磁極部に接触するが、このころには既に、上記した記憶装置への撮像情報の転送は終わっている。また、鉄片部材１０，１４の鉄片部１０ｃ，１４ｃが鉄芯部材６，７の磁極部に接触するころには、セット部材１５の押動部１５ｅが係止部材１７の被押動部１７ｂを押し、係止部材１７を図示していないばねの付勢力に抗して時計方向へ回転させ、後羽根用第１駆動部材１１の被係止部１１ａとの係合を解く。
【００７５】
セット部材１５は、その後も僅かに回転したところで停止させられるが、その過程で、鉄片部材１０，１４の鉄片部１０ｃ，１４ｃが、図示していない圧縮ばねの付勢力に抗して取付部９ｂ，１２ａ内に押し込まれるので、反対側に軸部１０ａ，１４ａの一部が出現し、頭部１０ｂ，１４ｂが取付部９ｂ，１２ａから離れた状態になる。また、後羽根用第１駆動部材１１は、係止部材１７による係止を解かれると、図示していない後羽根用セットばねの付勢力によって時計方向へ回転するので、後羽根の４枚の羽根２７〜３０は、隣接する羽根同士の重なりを大きくしつつ下方へ移動し、開口部１ａを開いていく。図４は、そのようにして、後羽根の４枚の羽根２７〜３０が開口部１ａを開いていく過程を示したものである。
【００７６】
このようにして、セット部材１５が、そのセット位置で停止したときには、後羽根用第１駆動部材１１も、その被押動部１１ｂが後羽根用第２駆動部材１２の押動部１２ｂに当接して停止し、開口部１ａが全開になる。その状態が図５に示されたセット完了状態、即ち次の撮影の待機状態であり、セット部材１５は、次の撮影が行われるまで、図示していない復帰ばねの付勢力に抗して、カメラ本体側の部材によってこの状態を維持させられている。従って、この状態においては、開口部１ａが全開になっているので、カメラの電源をオフにしない限り、被写体像を、電子ファインダで観察することが可能となる。
【００７７】
尚、本実施例は、ダイレクトタイプのフォーカルプレンシャッタとして構成されているが、係止タイプのフォーカルプレンシャッタとして構成した場合にも、セット完了後には、セット部材１５を直ちに初期位置へ復帰させず、本実施例の場合と同様に、セット位置に留めておく必要がある。何故ならば、以下の説明からも分かるように、セット部材１５を初期位置へ復帰させてしまうと、先羽根の４枚の羽根２０〜２３が作動を開始して開口部１ａを覆ってしまうことになり、次の撮影に先立って電子ファインダによる被写体像の観察ができなくなってしまうからである。
【００７８】
次に、このようなセット完了状態において、次の撮影が行われる場合を説明する。図５に示されている状態において、電子ファインダで被写体像を観察しながら、カメラのレリーズボタンを押すと、実際の撮影（露光作動）を開始する前に、先羽根用電磁石と後羽根用電磁石が励磁状態（図１１におけるＯＮ）になり、鉄片部材１０，１４が鉄芯部材６，７に吸着保持される。また、このとき、抑止手段１６のコイル１６ｄに対して順方向の電流が供給される。永久磁石回転子１６ａは、図５において時計方向へ回転させられ、抑止部材１６ｂが先羽根用第１駆動部材８における被抑止部８ａの作動軌跡外へ退き、抑止部材１６ｂの先端面が先羽根用第１駆動部材８の被抑止部８ａから離れて、抑止部材１６ｂの側面が窓１６ｃ−２の側端部１６ｃ−２1に当接することによって停止させられる。その後、抑止手段１６のコイル１６ｄに対する通電が断たれる。これにより、先羽根用第１駆動部材８による先羽根の露光開口を閉じる方向への回転の抑止解除状態になる。そして、先羽根用第１駆動部材８は、図示していない先羽根用セットばねの付勢力によって、時計方向へ回転していく。そのため、先羽根の４枚の羽根２０〜２３は、隣接する羽根同士の重なりを小さくしながら、開口部１ａを覆っていく。図６は、そのようにして、先羽根の４枚の羽根２０〜２３が、開口部１ａの半分以上を覆った状態を示したものである。
【００７９】
先羽根用第１駆動部材８が図６に示されている状態からさらに時計方向へ回転し、先羽根の４枚の羽根２０〜２３が、開口部１aを完全に覆うころになると、先羽根用第１駆動部材８は、被押動部８ｂが先羽根用第２駆動部材９の押動部９ｃに当接するとともに駆動ピン８ｃが緩衝部材４’に当接して停止する。
次に、図示していないカメラ本体側の部材が、セット部材１５の被押動部１５ａに対する押圧力を解くので、セット部材１５は、図示していない復帰ばねの付勢力によって時計方向へ回転し、初期位置へ復帰させられていく。
その復帰作動の初期段階において、セット部材１５は、押動部１５ｂが先羽根用第２駆動部材９の被押動部９ａから離れ、押動部１５ｃが後羽根用第２駆動部材１２に取り付けられたローラー１３から離れていくので、先羽根用第２駆動部材９と後羽根用第２駆動部材１２は、図示していない先羽根用駆動ばねと後羽根用駆動ばねの付勢力によって反時計方向へ回転するが、鉄片部材１０，１４が鉄芯部材６，７に吸着保持されているため、僅かに回転したところで、それらの取付部９ｂ，１２ａが鉄片部材１０，１４の頭部１０ｂ，１４ｂに当接して、停止させられる。
【００８０】
このような後羽根用第２駆動部材１２の僅かな回転によって、後羽根用第１駆動部材１１も、その被押動部１１ｂを後羽根用第２駆動部材１２の押動部１２ｂに押され、図示していない後羽根用セットばねの付勢力に抗して僅かに回転させられるので、後羽根の４枚の羽根２７〜３０も僅かに上方へ移動させられるが、開口部１ａを覆い始める前には停止させられる。先羽根用第１駆動部材８，先羽根，先羽根用第２駆動部材９，後羽根用第１駆動部材１１，後羽根，後羽根用第２駆動部材１２にとっては、このようにして得られた位置が、露光作動開始位置である。
【００８１】
また、セット部材１５が、セット位置から初期位置へ復帰するころと殆ど時期を同じくして、抑止手段１６のコイル１６ｄに対して逆方向の電流が供給される。そのため、永久磁石回転子１６ａは、図６において反時計方向へ回転させられ、抑止部材１６ｂが先羽根用第１駆動部材８における被抑止部８ａの作動軌跡内であって、円弧状の長孔１ｂの上方端部側に進入する。その後、抑止手段１６のコイル１６ｄに対する通電が断たれる。図７は、そのようにして、先羽根の４枚の羽根２０〜２３が、開口部１ａを完全に覆うとともに、抑止部材１６ｂが被抑止部８ａの作動軌跡内に進入した状態を示したものである。
【００８２】
セット部材１５が初期位置へ復帰後に、先羽根用電磁石と後羽根用電磁石とが被写体光の明るさに対応した所定の時間間隔で順に消磁（図１１におけるＯＦＦ）される。そこで先ず、先羽根用電磁石が消磁すると、鉄片部材１０に対する鉄芯部材６の吸引力が失われ、先羽根用第２駆動部材９が、図示していない先羽根用駆動ばねの付勢力によって反時計方向へ急速に回転させられるが、そのとき、先羽根用第２駆動部材９は、押動部９ｃが先羽根用第１駆動部材８の被押動部８ｂを押し、先羽根用第１駆動部材８を、図示していない先羽根用セットばねの付勢力に抗して反時計方向へ回転させるので、先羽根の４枚の羽根２０〜２３は、隣接する羽根同士の重なりを大きくしながら上方へ移動し、スリット形成羽根２３の下端縁で開口部１ａを開いていく。
【００８３】
先羽根用電磁石が消磁してから所定時間後に、後羽根用電磁石が消磁すると、鉄片部材１４に対する鉄芯部材７の吸引力が失われ、後羽根用第２駆動部材１２が、図示していない後羽根用駆動ばねの付勢力によって反時計方向へ急速に回転させられる。そのとき、後羽根用第２駆動部材１２は、押動部１２ｂが後羽根用第１駆動部材１１の被押動部１１ｂを押し、後羽根用第１駆動部材１１を、後羽根用セットばねの付勢力に抗して反時計方向へ回転させるため、後羽根の４枚の羽根２７〜３０は、隣接する羽根同士の重なりを小さくしながら上方へ移動し、スリット形成羽根３０の上端縁で開口部１ａを閉じていく。そのため、それ以後は、先羽根と後羽根が、それらのスリット形成羽根２３，３０の間に形成されたスリットにより、撮像素子の撮像面を下から上へ連続的に露光していくことになるが、そのような露光作動の途中の状態が図８に示されている。
【００８４】
このようにして行われる露光作動の最終段階になると、先ず、先羽根用第２駆動部材９に押動されている先羽根用第１駆動部材８の駆動ピン８ｃが、抑止部材１６ｂの側面に当接する。このため、先羽根用第１駆動部材８は、制動されるようになる。図９は、先羽根用第１駆動部材８が、そのような制動を受けたときの状態を示したものである。
【００８５】
先羽根用第２駆動部材９に押動されている先羽根用第１駆動部材８の駆動ピン８ｃは、抑止部材１６ｂの側面に当接して制動されながら、さらに、永久回転子１６ａをその回転力に抗して時計方向へ回転させる。このとき、抑止部材１６ｂは、その側面が先羽根用第１駆動部材８の駆動ピン８ｃに当接した状態を保ちながら時計方向へ回転させられることにより被抑止部８ａの作動軌跡外へ退かされるが、永久磁石回転子１３ａに付与された反時計方向へ回転する力は維持されている。
また、これと殆ど時期を同じくして、先羽根用第２駆動部材９の被押動部９ａがセット部材１５の制動部１５ｄに当接するので、先羽根用第２駆動部材９は、その制動部１５ｄを撓ませながら制動されるようになる。続いて、後羽根用第１駆動部材１１の被係止部１１ａが係止部材１７の係止部１７ａに当接するので、後羽根用第２駆動部材１２は、係止部材１７を図示していないばねの付勢力に抗して時計方向へ回転させながら制動されるようになる。
図１０は、先羽根用第２駆動部材９が、そのような制動を受けながらの回転の最終段階にあり、後羽根用第２駆動部材１２が、そのような制動を受けるために、被係止部１１ａを係止部材１７の係止部１７ａに当接させたときの状態を示したものである。
【００８６】
そして、この図１０に示された状態の直後には、先羽根用第２駆動部材９の被押動部９ａがセット部材１５の制動部１５ｄから離れ、その後、先羽根用第１駆動部材８の駆動ピン８ｃが緩衝部材４に当接することによって、先羽根用の二つの駆動部材８，９と先羽根の作動が停止する。このとき、先羽根用第１駆動部材８の駆動ピン８ｃは、抑止部材１６ｂの側面から離れる。このため、永久回転子１６ａは付与されている回転力により反時計方向へ回転し、抑止部材１６ｂの側面が窓１６ｃ−２の側端部１６ｃ−２2に当接することによって、停止させられる。このとき、抑止部材１６ｂの先端面が先羽根用第１駆動部材８の被抑止部８ａに面接触する。これにより、先羽根用第１駆動部材８のバウンドが静止されるとともに、先羽根用第１駆動部材８による先羽根の露光開口を閉じる方向への回転が抑止された状態になる。
【００８７】
次に、それまで係止部材１７によって制動されていた後羽根用第１駆動部材１１の被係止部１１ａが係止部材１７の係止部１７ａを押し、係止部材１７が時計方向に回転させられた後、係止部材１７が図示していないばねの付勢力によって反時計方向へ回転する状態になると、後羽根用第１駆動部材１１の駆動ピン１１ｃが緩衝部材５に当接して、後羽根用の二つの駆動部材１１，１２と後羽根の作動が停止する。また、係止部材１７が反時計方向へ回転することにより、係止部材１７の係止部１７ａが後羽根用第１駆動部材１１の被係止部１１ａに係合する。これにより、後羽根用第１駆動部材１１のバウンドが静止され、露光作動が終了する。そのときの状態が図２に示されている。
【００８８】
ところで、本実施例における係止部材１７の本来の役目は、セット作動が開始されてから、撮像情報が撮像素子から転送され終わるまで、開口部１ａを後羽根の４枚の羽根２７〜３０によって覆っているようにするために、後羽根用第１駆動部材１１を係止していることである。そのため、本発明の係止部材は、本実施例のように構成せず、後羽根用第１駆動部材１１が上記のようにして停止し終わる前には接触せず、停止し終わってから、例えばカメラ本体側の部材によって、後羽根用第１駆動部材１１の時計方向への回転を係止し得るようにしてもよいわけである。しかしながら、本実施例の場合には、専用の制動部材を備えなくてもよいようにするために、係止部材１７が上記のように構成されていて、露光作動の最終段階において後羽根用の二つの駆動部材１１，１２の回転を制動する役目も有するようにしている。
【００８９】
また、露光作動の終了時には、駆動ピン１１ｃが緩衝部材５に当接することによって後羽根用第１駆動部材１１がバウンドしてしまい、後羽根のスリット形成羽根３０の上端縁が一時的に開口部１ａに進入して、撮像素子を再露光してしまうおそれがある。そのような場合、従来は、バウンドを抑える部材を単独で備えたり、制動部材と兼用させたりしていたが、本実施例の場合には、後羽根用第１駆動部材１１がバウンドしても、係止部材１７の係止部１７ａが後羽根用第１駆動部材１１の被係止部１１ａを係止するので、バウンドを抑える部材を特別に備えなくてもよいようになっている。
【００９０】
以上のようにして、後羽根用の二つの駆動部材１１，１２と後羽根の停止した状態が、図１及び図２に示されている露光作動の終了直後の状態であって、その後、撮像情報が、撮像素子から情報処理回路を介して記憶装置に転送されると、撮影が終了したことになるが、既に説明したように、本実施例の場合には、その転送中に、セット作動が行われることになる。そのため、本実施例は、次の撮影を行えるようになるまでの時間が短くなり、特に連写を行えるようにしたデジタルカメラに用いて有利になる。
【００９１】
尚、本実施例のセット作動は、上記のように、セット部材１５が、被押動部１５ａをカメラ本体側の部材に直接押され、図示していない復帰ばねの付勢力に抗して回転させられることによって行われるが、本発明のフォーカルプレンシャッタは、そのような構成に限定されるものではない。周知のように、シャッタ地板１に、カメラ本体側の部材によって操作されるもう一つのセット用の部材を取り付けて置き、セット部材１５は、その部材を介して回転させられるように構成してもよく、その場合には、セット部材１５を初期位置へ復帰させるための復帰ばねは、本実施例のように、セット部材１５に掛けてもよいが、そのようなもう一つのセット用の部材に掛けるようにしても構わない。
【００９２】
ところで、既に述べたように、本発明は、係止タイプのフォーカルプレンシャッタとして実施することも可能であるが、上記の実施例は、ダイレクトタイプのフォーカルプレンシャッタとして構成したものである。そして、実施例の説明の中においては、係止タイプのフォーカルプレンシャッタとして構成したときは、セット部材をセット作動終了後、直ちに初期位置へ復帰させることなく、実施例におけるセット部材の場合と同様に、撮影の初期段階であって露光作動が開始される前に、初期位置へ復帰させるようにする必要があることを説明した。そのため、その説明だけで、本発明を、係止タイプのフォーカルプレンシャッタとして実施することも可能であることが、充分に理解できると考えるが、念のため、実施例の構成を係止タイプのフォーカルプレンシャッタにする場合の構成を、簡単に説明しておく。
【００９３】
先ず、先羽根用第２駆動部材９と後羽根用第２駆動部材１２には、本実施例のように鉄片部材１０，１４を取り付けず、それに代わって各々被係止部を形成しておく。そして、図５のセット完了状態においては、それらの駆動部材９，１２は、それらの被係止部が夫々の係止部材に係止される位置を越えるところまで回転されているようにしておき、カメラのレリーズボタンが押され、本実施例のようにセット部材１５が初期位置へ復帰するときの初期段階で、夫々の係止部材に係止されるようにする。そして、その後、セット部材１５が初期位置へ復帰するまでの作動は、上記の実施例の場合と全く同じである。
【００９４】
他方、上記の各係止部材の係止を解除するために設けられている二つの係止解除部材は、セット部材１５が、上記のようにして、初期位置へ復帰作動を開始する前に、夫々のばねの付勢力に抗して、先羽根用電磁石と後羽根用電磁石に吸着保持されるようにする。そして、その後、セット部材１５が、上記のように作動して、図７に示された初期位置へ復帰すると、上記の各電磁石に対する通電を順に断つ。それにより、上記の各係止解除部材は、上記の各々のばねの付勢力で作動し、上記の各係止部材による係止を解除するので、先羽根用第２駆動部材９と後羽根用駆動部材１２は、順に露光作動を開始する。そして、セット作動時には、セット部材１５の作動に連動して、上記の二つの係止解除部材が、各々の電磁石に対して接触させられるようにする。尚、このような作動が得られるようにするための構成は種々知られているが、その一例が、特開２００１−２１５５５５号公報にも記載されている。
【００９５】
次に、シャッタ羽根が露光開口を閉鎖している状態を初期位置（撮影待機状態）としたものであって、撮影に際してレリーズボタンが押されると、直ちにシャッタ羽根がその初期位置からスタートする、ノーマリークローズ方式の撮影モードでの作動を、各々の作動段階における図１２〜図１８の平面図と、主要な構成手段の作動関係を示した図１９のタイミングチャートを用いて説明する。
本実施例のフォーカルプレンシャッタにおけるノーマリークローズ方式の撮影モードでは、光学ファインダを用いて撮影する場合であるので、図示していない可動ミラーを備えたカメラの場合には可動ミラーがダウン状態なっていて、光学ファインダによって被写体像を観察することができるようになっている。また、抑止手段１６のコイル１６ｄに対して通電されず、永久磁石回転子１６ａは、抑止部材１６ｂの側面が窓１６ｃ−２の側端部１６ｃ−２1に当接した状態に維持させられている。このため、先羽根用第１駆動部材８による先羽根の露光開口を閉じる方向への回転の抑止解除状態が維持されている。
図１２に示された露光作動終了直後の状態からセット部材１５が回転を開始すると、セット部材１５の押動部１５ｂが先羽根用第２駆動部材９の被押動部９ａを押し、先羽根用第２駆動部材９を図示していない先羽根用駆動ばねの付勢力に抗して時計方向へ回転させ始める。先羽根用第１駆動部材８は、被押動部８ｂが先羽根用第２駆動部材９の押動部９ｃに追従しながら、図示していない先羽根用セットばねの付勢力によって、時計方向へ回転していく。そのため、先羽根の４枚の羽根２０〜２３は、隣接する羽根同士の重なりを小さくしながら、開口部１ａを覆っていく。図１３は、そのようにして、先羽根の４枚の羽根２０〜２３が、開口部１ａの半分以上を覆った状態を示したものである。
【００９６】
セット部材１５の押動部１５ｂが先羽根用第２駆動部材９の被押動部９ａを押すのと殆ど時期を同じくして、セット部材１５のもう一方の押動部１５ｃが後羽根用第２駆動部材１２に取り付けられているローラー１３を押し、後羽根用第２駆動部材１２を図示していない後羽根用駆動ばねの付勢力に抗して時計方向へ回転させ始める。そのときの状態も、図１３に示されている。
【００９７】
図１３の状態が得られた後も、セット部材１５は反時計方向への回転を続けるので、後羽根用第２駆動部材１２は、ローラー１３を押動部１５ｃに押され、図示していない後羽根用駆動ばねの付勢力に抗して時計方向へ回転させられるが、後羽根用第１駆動部材１１は、係止部材１７の係止部１７ａによって被係止部１１ａを係止されるので、セット部材１５の押動部１５ｅが係止部材１７の被押動部１７ｂを押して係止部材１７を図示していないばねの付勢力に抗して時計方向へ回転させて係止部１７ａが被係止部１１ａの係止を解除するまでは、図示していない後羽根用セットばねの付勢力により、被押動部１１ｂを後羽根用第２駆動部材１２の押動部１２ｂに追従させて時計方向へ回転することができない。そのため、後羽根の４枚の羽根２７〜３０は、開口部１ａを覆ったままの状態で、後羽根用第２駆動部材１２だけが時計方向へ回転を続けることになる。
【００９８】
その後、先羽根の４枚の羽根２０〜２３が開口部１ａを完全に覆うと、先羽根用第２駆動部材９と後羽根用第２駆動部材１２に取り付けられている鉄片部材１０，１４の鉄片部１０ｃ，１４ｃが、相前後して先羽根用電磁石と後羽根用電磁石の鉄芯部材６，７の磁極部に接触するが、このころには既に、上記した記憶装置への撮像情報の転送は終わっている。また、鉄片部材１０，１４の鉄片部１０ｃ，１４ｃが鉄芯部材６，７の磁極部に接触するころには、セット部材１５の押動部１５ｅが係止部材１７の被押動部１７ｂを押し、係止部材１７を図示していないばねの付勢力に抗して時計方向へ回転させ、後羽根用第１駆動部材１１の被係止部１１ａとの係合を解く。図１４は、そのようにして、係止部材１７の被押動部１７ｂが後羽根用第１駆動部材１１の被係止部１１ａとの係合を解いた状態を示したものである。
【００９９】
セット部材１５は、その後も僅かに回転したところで停止させられるが、その過程で、鉄片部材１０，１４の鉄片部１０ｃ，１４ｃが、図示していない圧縮ばねの付勢力に抗して取付部９ｂ，１２ａ内に押し込まれるので、反対側に軸部１０ａ，１４ａの一部が出現し、頭部１０ｂ，１４ｂが取付部９ｂ，１２ａから離れた状態になる。また、後羽根用第１駆動部材１１は、係止部材１７による係止を解かれると、図示していない後羽根用セットばねの付勢力によって時計方向へ回転するので、後羽根の４枚の羽根２７〜３０は、隣接する羽根同士の重なりを大きくしつつ下方へ移動し、開口部１ａを開いていく。図１４は、そのようにして、後羽根の４枚の羽根２７〜３０が開口部１ａを開いていく過程を示したものである。
【０１００】
このようにして、セット部材１５が、そのセット位置で停止したときには、後羽根用第１駆動部材１１も、その被押動部１１ｂが後羽根用第２駆動部材１２の押動部１２ｂに当接して停止し、先羽根の４枚の羽根２０〜２３が開口部１ａを完全に覆い、後羽根の４枚の羽根２７〜３０が開口部１ａから下方へ完全に退いた状態になる。その状態が図１５に示されたセット完了状態、即ち次の撮影の待機状態であり、セット部材１５は、次の撮影が行われるまで、図示していない復帰ばねの付勢力に抗して、カメラ本体側の部材によってこの状態を維持させられている。
【０１０１】
そこで次に、このようなセット完了状態において、次の撮影が行われる場合を説明する。図１５に示されている状態において、光学ファインダで被写体像を観察しながら、カメラのレリーズボタンを押すと、実際の撮影（露光作動）を開始する前に、先羽根用電磁石と後羽根用電磁石が励磁状態（図１９におけるＯＮ）になり、鉄片部材１０，１４が鉄芯部材６，７に吸着保持される。次に、図示していないカメラ本体側の部材が、セット部材１５の被押動部１５ａに対する押圧力を解くので、セット部材１５は、図示していない復帰ばねの付勢力によって時計方向へ回転し、初期位置へ復帰させられていく。
【０１０２】
その復帰作動の初期段階において、セット部材１５は、押動部１５ｂが先羽根用第２駆動部材９の被押動部９ａから離れ、押動部１５ｃが後羽根用第２駆動部材１２に取り付けられたローラー１３から離れていくので、先羽根用第２駆動部材９と後羽根用第２駆動部材１２は、図示していない先羽根用駆動ばねと後羽根用駆動ばねの付勢力によって反時計方向へ回転するが、鉄片部材１０，１４が鉄芯部材６，７に吸着保持されているため、僅かに回転したところで、それらの取付部９ｂ，１２ａが鉄片部材１０，１４の頭部１０ｂ，１４ｂに当接して、停止させられる。
【０１０３】
このような先羽根用第２駆動部材９の僅かな回転によって、先羽根用第１駆動部材８も、その被押動部８ｂを先羽根用第２駆動部材９の押動部９ｃに押され、図示していない先羽根用セットばねの付勢力に抗して僅かに回転させられるので、先羽根の４枚の羽根２０〜２３も僅かに上方へ移動させられるが、開口部１ａを開き始める前には停止させられる。また、後羽根用第２駆動部材１２の僅かな回転によって、後羽根用第１駆動部材１１も、その被押動部１１ｂを後羽根用第２駆動部材１２の押動部１２ｂに押され、図示していない後羽根用セットばねの付勢力に抗して僅かに回転させられるので、後羽根の４枚の羽根２７〜３０も僅かに上方へ移動させられるが、開口部１ａを覆い始める前には停止させられる。先羽根用第１駆動部材８，先羽根，先羽根用第２駆動部材９，後羽根用第１駆動部材１１，後羽根，後羽根用第２駆動部材１２にとっては、このようにして得られた位置が、露光作動開始位置である。図１６は、セット部材１５が初期位置に復帰し、先羽根の４枚の羽根２０〜２３が開口部１ａを開き始める前に停止させられるとともに、後羽根の４枚の羽根２７〜３０が、開口部１ａを覆い始める前に停止させられた状態を示したものである。
【０１０４】
セット部材１５が初期位置へ復帰後に、先羽根用電磁石と後羽根用電磁石とが被写体光の明るさに対応した所定の時間間隔で順に消磁（図１９におけるＯＦＦ）される。そこで先ず、先羽根用電磁石が消磁すると、鉄片部材１０に対する鉄芯部材６の吸引力が失われ、先羽根用第２駆動部材９が、図示していない先羽根用駆動ばねの付勢力によって反時計方向へ急速に回転させられるが、そのとき、先羽根用第２駆動部材９は、押動部９ｃが先羽根用第１駆動部材８の被押動部８ｂを押し、先羽根用第１駆動部材８を、図示していない先羽根用セットばねの付勢力に抗して反時計方向へ回転させるので、先羽根の４枚の羽根２０〜２３は、隣接する羽根同士の重なりを大きくしながら上方へ移動し、スリット形成羽根２３の下端縁で開口部１ａを開いていく。
【０１０５】
先羽根用電磁石が消磁してから所定時間後に、後羽根用電磁石が消磁すると、鉄片部材１４に対する鉄芯部材７の吸引力が失われ、後羽根用第２駆動部材１２が、図示していない後羽根用駆動ばねの付勢力によって反時計方向へ急速に回転させられる。そのとき、後羽根用第２駆動部材１２は、押動部１２ｂが後羽根用第１駆動部材１１の被押動部１１ｂを押し、後羽根用第１駆動部材１１を、後羽根用セットばねの付勢力に抗して反時計方向へ回転させるため、後羽根の４枚の羽根２７〜３０は、隣接する羽根同士の重なりを小さくしながら上方へ移動し、スリット形成羽根３０の上端縁で開口部１ａを閉じていく。そのため、それ以後は、先羽根と後羽根が、それらのスリット形成羽根２３，３０の間に形成されたスリットにより、撮像素子の撮像面を下から上へ連続的に露光していくことになるが、そのような露光作動の途中の状態が図１７に示されている。
【０１０６】
このようにして行われる露光作動の最終段階になると、先ず、先羽根用第２駆動部材９の被押動部９ａがセット部材１５の制動部１５ｄに当接するので、先羽根用第２駆動部材９は、その制動部１５ｄを撓ませながら制動されるようになる。続いて、後羽根用第１駆動部材１１の被係止部１１ａが係止部材１７の係止部１７ａに当接するので、後羽根用第２駆動部材１２は、係止部材１７を図示していないばねの付勢力に抗して時計方向へ回転させながら制動されるようになる。図１８は、先羽根用第１駆動部材８が、そのような制動を受けながらの回転の最終段階にあり、後羽根用第２駆動部材１２が、そのような制動を受けるために、被係止部１１ａを係止部材１７の係止部１７ａに当接させたときの状態を示したものである。
【０１０７】
そして、この図１８に示された状態の直後には、先羽根用第２駆動部材９の被押動部９ａがセット部材１５の制動部１５ｄから離れ、その後、先羽根用第１駆動部材８の駆動ピン８ｃが緩衝部材４に当接することによって、先羽根用の二つの駆動部材８，９と先羽根の作動が停止する。
【０１０８】
次に、それまで係止部材１７によって制動されていた後羽根用第１駆動部材１１の被係止部１１ａが係止部材１７の係止部１７ａを押し、係止部材１７が時計方向に回転させられた後、係止部材１７が図示していないばねの付勢力によって反時計方向へ回転する状態になると、後羽根用第１駆動部材１１の駆動ピン１１ｃが緩衝部材５に当接して、後羽根用の二つの駆動部材１１，１２と後羽根の作動が停止する。また、係止部材１７が反時計方向へ回転することにより、係止部材１７の係止部１７ａが後羽根用第１駆動部材１１の被係止部１１ａに係合する。これにより、後羽根用第１駆動部材１１のバウンドが静止され、露光作動が終了する。そのときの状態が図１２に示されている。
【０１０９】
次に、本実施例のカメラ用フォーカルプレンシャッタにおいて、撮影に際してレリーズボタンが押されると、先羽根を作動させず、電子制御回路が撮像素子を制御することによって撮影が開始され、後羽根が露光開口を閉鎖することによって撮影を終了する、先羽根の代わりに電子シャッタを用いた方式の撮影モードでの作動を、各々の作動段階における図２０及び図２１の平面図と、主要な構成手段の作動関係を示した図２２のタイミングチャートを用いて説明する。
【０１１０】
本実施例のフォーカルプレンシャッタにおける先羽根の代わりに電子シャッタを用いた方式では、電子ファインダを用いて撮影する場合であるので、図示していない可動ミラーを備えたカメラの場合には可動ミラーがアップ状態になっている。また、抑止手段１６のコイル１６ｄに対して通電されず、永久磁石回転子１６ａは、抑止部材１６ｂの側面が窓１６ｃ−２の側端部１６ｃ−２2に当接した状態に維持させられている。抑止部材１６ｂは、先羽根用第１駆動部材８における被抑止部８ａの作動軌跡内であって、円弧状の長孔１ｂの上方端部側に進入しており、抑止部材１６ｂの先端面が、緩衝部材４に当接する位置にある先羽根用第１駆動部材８の被抑止部８ａに面接触している。このため、先羽根用第１駆動部材８による先羽根の露光開口を閉じる方向への回転が抑止された状態が維持されている。
【０１１１】
電子シャッタを用いた方式の撮影モードでは、図２に示された露光作動終了直後の状態から図５に示されたセット完了状態までは、ノーマリーオープン方式の撮影モードでの作動と同じであるので説明は省略する。
次に、このようなセット状態において、次の撮影が行われる場合を説明する。図５に示されている状態において、電子ファインダで被写体像を観察しながら、カメラのレリーズボタンを押すと、実際の撮影（露光作動）を開始する前に、後羽根用電磁石が励磁状態（図２２におけるＯＮ）になり、鉄片部材１４が鉄芯部材７に吸着保持される。
次に、図示していないカメラ本体側の部材が、セット部材１５の被押動部１５ａに対する押圧力を解くので、セット部材１５は、図示していない復帰ばねの付勢力によって時計方向へ回転し、初期位置へ復帰させられていく。
その復帰作動の初期段階において、セット部材１５は、押動部１５ｂが先羽根用第２駆動部材９の被押動部９ａから離れ、押動部１５ｃが後羽根用第２駆動部材１２に取り付けられたローラー１３から離れていくので、先羽根用第２駆動部材９と後羽根用第２駆動部材１２は、図示していない先羽根用駆動ばねと後羽根用駆動ばねの付勢力によって反時計方向へ回転する。それらのうち、先羽根用第２駆動部材９は、押動部９ｃが先羽根用第１駆動部材８の被押動部８ａに当接して停止させられる。また、後羽根用第２駆動部材１２は、鉄片部材１４が鉄芯部材７に吸着保持されているため、僅かに回転したところで、取付部１２ａが鉄片部材１４の頭部１４ｂに当接して、停止させられる。
【０１１２】
このような後羽根用第２駆動部材１２の僅かな回転によって、後羽根用第１駆動部材１１も、その被押動部１１ｂを後羽根用第２駆動部材１２の押動部１２ｂに押され、図示していない後羽根用セットばねの付勢力に抗して僅かに回転させられるので、後羽根の４枚の羽根２７〜３０も僅かに上方へ移動させられるが、開口部１ａを覆い始める前には停止させられる。先羽根用第２駆動部材９，後羽根用第１駆動部材１１，後羽根，後羽根用第２駆動部材１２にとっては、このようにして得られた位置が、露光作動開始位置である。図２０は、セット部材１５が初期位置へ復帰させられた露光作動開始直前の状態を示している。
【０１１３】
セット部材１５が初期位置へ復帰後に、先羽根代わりの電子シャッタがＯＮとなり、電子制御回路が撮像素子を制御することによって撮影が開始される。そして、被写体の明るさに対応して決められた所定時間が経過すると、後羽根用電磁石が消磁（図２２におけるＯＦＦ）される。
後羽根用電磁石が消磁すると、鉄片部材１４に対する鉄芯部材７の吸引力が失われ、後羽根用第２駆動部材１２が、図示していない後羽根用駆動ばねの付勢力によって反時計方向へ急速に回転させられる。そのとき、後羽根用第２駆動部材１２は、押動部１２ｂが後羽根用第１駆動部材１１の被押動部１１ｂを押し、後羽根用第１駆動部材１１を、後羽根用セットばねの付勢力に抗して反時計方向へ回転させるため、後羽根の４枚の羽根２７〜３０は、隣接する羽根同士の重なりを小さくしながら上方へ移動し、スリット形成羽根３０の上端縁で開口部１ａを閉じていく。そのような露光作動の途中の状態が図２１に示されている。
【０１１４】
このようにして行われる露光作動の最終段階になると、後羽根用第１駆動部材１１の被係止部１１ａが係止部材１７の係止部１７ａに当接するので、後羽根用第２駆動部材１２は、係止部材１７を図示していないばねの付勢力に抗して時計方向へ回転させながら制動されるようになる。次に、それまで係止部材１７によって制動されていた後羽根用第１駆動部材１１の被係止部１１ａが係止部材１７の係止部１７ａを押し、係止部材１７が時計方向に回転させられた後、係止部材１７が図示していないばねの付勢力によって反時計方向へ回転する状態になると、後羽根用第１駆動部材１１の駆動ピン１１ｃが緩衝部材５に当接して、後羽根用の二つの駆動部材１１，１２と後羽根の作動が停止する。また、後羽根用第１駆動部材１１の駆動ピン１１ｃの緩衝部材５への当接と殆ど時期を同じくして、先羽根代わりの電子シャッタがＯＦＦとなる。また、係止部材１７が反時計方向へ回転することにより、係止部材１７の係止部１７ａが後羽根用第１駆動部材１１の被係止部１１ａに係合する。これにより、後羽根用第１駆動部材１１のバウンドが静止され、露光作動が終了する。そのときの状態は図２と同じである。
【０１１５】
本実施例のカメラ用フォーカルプレンシャッタによれば、ノーマリーオープン方式／ノーマリークローズ方式の切換が可能なタイプのフォーカルプレンシャッタにおいて、ノーマリーオープン方式の撮影では、シャッタセット作動開始からシャッタセット作動終了の直前まで後羽根により画枠を遮光した状態を保持できるため、セット途中に撮影した画像データを撮像素子からメモリに転送することが可能となり、撮影からデータ取り込みまでの一連のシーケンス時間を短縮することができ、データ転送時間の長い撮像素子においてもコマ速の高速化が可能となる。また、ノーマリークローズ方式の撮影では、セット部材１５を、セット作動時に押動部１５ｂが先羽根用第２駆動手段９の被押動部９ａを押すことにより先羽根が露光開口を完全に覆うタイミングが、押動部１５ｅが被押動部１７ｂを押すことにより係止部材１７が後羽根の係止を解除する前となるようにすることで、先羽根が露光開口を完全に覆うタイミングを係止部材が後羽根の係止を解除する前となるように構成したので、シャッタセット途中で画枠が開くことなくセット作動中に撮影した画像データを撮像素子からメモリに転送することが可能となり、撮影からデータ取り込みまでの一連のシーケンス時間を短縮することができ、データ転送時間の長い撮像素子においてもコマ速の高速化が可能となる。
従って、本実施例によれば、ノーマリーオープン方式での撮影とノーマリークローズ方式での撮影との切換が可能なタイプのフォーカルプレンシャッタにおいて、コマ速が高速化でき、露光作動が終了してから次の撮影が行われるまでの時間を、撮像情報の転送可能時間を殆ど考慮しなくて決めることが可能なカメラ用フォーカルプレンシャッタ、及びそれを備えたデジタルカメラが得られる。
【０１１６】
さらに、本実施例によれば、抑止部材１６が、ノーマリーオープン方式での撮影時においては、セット部材１５によるセット作動終了後に先羽根用第１駆動部材８による先羽根の露光開口を閉じる方向への回転の抑止を解除する方向へ作動して先羽根用第１駆動部材８による先羽根の露光開口を閉じる方向への回転の抑止を解除し、先羽根用第１駆動部材が先羽根の露光開口を閉じる方向へ回転後であって露光作動前に先羽根用第１駆動部材８による先羽根の露光開口を閉じる方向への回転を抑止する方向へ作動する。このため、先羽根用第１駆動部材８による先羽根の露光開口を開く方向の回転を制動するとともに、露光作動終了時に先羽根用第１駆動部材８の駆動ピン８ｃが緩衝部材４に当接することによって生じる先羽根用第１駆動部材８のバウンドを抑えることができ、その分、セット作動を早めることができる。そのため、本変形例は、次の撮影を行えるようになるまでの時間が短くなり、特に連写を行えるようにしたデジタルカメラに用いて有利になる。
従って、本変形例によっても、コマ速が高速化でき、露光作動が終了してから次の撮影が行われるまでの時間を、撮像情報の転送可能時間を殆ど考慮しなくて決めることが可能なカメラ用フォーカルプレンシャッタ、及びそれを備えたデジタルカメラが得られる。
尚、上記各実施例では、ノーマリーオープン方式とノーマリークローズ方式をカメラ本体側のスイッチで切替えるようにした。しかし、そのようにせずに連写モードにおいて、連写速度に応じてノーマリーオープン方式とノーマリークローズ方式を選択又は組み合わせてもよい。
つまり、ノーマリーオープン方式ではレリーズから図６に示されるように先羽根を露光作動開始位置に作動させる必要があるが、ノーマリークローズ方式ではそのような作動が不要なので１サイクルの時間が短くなり、連写速度が速くなるためである。
【０１１７】
尚、本実施例では、抑止手段１６を電磁装置で構成し、抑止部材１６ｂを電磁装置の往復作動可能な可動子として構成したが、本発明のカメラ用フォーカルプレンシャッタにおける抑止手段１６は、このような構成に限定されるものではない。例えば、抑止手段１６を、抑止部材１６ｂを先羽根用第１駆動部材８による先羽根の露光開口を閉じる方向への回転を抑止する方向に作動可能なバネと、抑止部材１６ｂを先羽根用第１駆動部材８による先羽根の露光開口を閉じる方向への回転を抑止する方向に作動可能なバネの付勢力に抗した該抑止を解除する方向への作動及び該抑止を解除する方向への作動を解除しうる電磁装置を有して構成してもよい。
また、抑止部材１６ｂを先羽根用第１駆動部材８による先羽根の露光開口を閉じる方向への回転を抑止する方向に作動可能なバネの付勢力に抗した該抑止を解除する方向への作動及び該抑止を解除する方向への作動を解除しうる電磁装置としては、永久磁石回転子を用いて構成しても良いし、ソレノイドを用いて構成しても良い。
【符号の説明】
【０１１８】
１                              シャッタ地板
１ａ，２ａ，３ａ                開口部
１ｂ，１ｃ                      長孔
１ｄ，１ｅ，１ｆ，１ｇ，１ｈ，１ｉ，１ｊ,１ｋ  軸
１ｐ                            孔
２                              中間板
３                              補助地板
４，５                          緩衝部材
６，７                          鉄芯部材
８                              先羽根用第１駆動部材
８ａ                            被抑止部
８ｂ，９ａ，１１ｂ．１５ａ，１７ｂ  被押動部
８ｃ，１１ｃ                    駆動ピン
９                              先羽根用第２駆動部材
９ｂ，１２ａ                    取付部
９ｃ，１２ｂ，１５ｂ，１５ｃ，１５ｅ  押動部
１０，１４                      鉄片部材
１０ａ，１４ａ                  軸部
１０ｂ，１４ｂ                  頭部
１０ｃ，１４ｃ                  鉄片部
１１                            後羽根用第１駆動部材
１１ａ                          被係止部
１２                            後羽根用第２駆動部材
１３                            ローラー
１５                            セット部材
１５−１                        金属製部材
１５−２，１５−３              合成樹脂製部材
１５ｄ                          制動部
１５ｆ                          当接部
１６                            抑止手段
１６ａ                          永久磁石回転子
１６ｂ                          抑止部材
１６ｃ                          固定子枠
１６ｃ−１                      張出部
１６ｃ−２                      窓
１６ｃ−２1，１６ｃ−２2        側端部
１６ｄ                          コイル
１６ｅ                          ヨーク
１６ｆ                          磁性体棒
１７                            係止部材
１７ａ                          係止部
１８，１９，２５，２６          アーム
２０，２１，２２，２３，２７，２８，２９，３０  羽根
３１                            ストッパ部
【図１】
2014044273.tif 000003
【図２】
2014044273.tif 000004
【図３】
2014044273.tif 000005
【図４】
2014044273.tif 000006
【図５】
2014044273.tif 000007
【図６】
2014044273.tif 000008
【図７】
2014044273.tif 000009
【図８】
2014044273.tif 000010
【図９】
2014044273.tif 000011
【図１０】
2014044273.tif 000012
【図１１】
2014044273.tif 000013
【図１２】
2014044273.tif 000014
【図１３】
2014044273.tif 000015
【図１４】
2014044273.tif 000016
【図１５】
2014044273.tif 000017
【図１６】
2014044273.tif 000018
【図１７】
2014044273.tif 000019
【図１８】
2014044273.tif 000020
【図１９】
2014044273.tif 000021
【図２０】
2014044273.tif 000022
【図２１】
2014044273.tif 000023
【図２２】
2014044273.tif 000024
【図２３】
2014044273.tif 000025
【手続補正書】
【提出日】平成24年11月14日(2012.11.14)
【手続補正１】
【補正対象書類名】図面
【補正対象項目名】全図
【補正方法】変更
【補正の内容】
【図１】
2014044273.tif 000026
【図２】
2014044273.tif 000027
【図３】
2014044273.tif 000028
【図４】
2014044273.tif 000029
【図５】
2014044273.tif 000030
【図６】
2014044273.tif 000031
【図７】
2014044273.tif 000032
【図８】
2014044273.tif 000033
【図９】
2014044273.tif 000034
【図１０】
2014044273.tif 000035
【図１１】
2014044273.tif 000036
【図１２】
2014044273.tif 000037
【図１３】
2014044273.tif 000038
【図１４】
2014044273.tif 000039
【図１５】
2014044273.tif 000040
【図１６】
2014044273.tif 000041
【図１７】
2014044273.tif 000042
【図１８】
2014044273.tif 000043
【図１９】
2014044273.tif 000044
【図２０】
2014044273.tif 000045
【図２１】
2014044273.tif 000046
【図２２】
2014044273.tif 000047
【図２３】
2014044273.tif 000048